(57)【要約】【課題】容易にディスクを強制排出可能なディスク装置を提供する。【解決手段】ディスク装置１００は、光ディスク１をガイドするローディングアーム５１およびサブローディングアーム５３と、光ディスク１を搬出方向に付勢する第一イジェクトアーム６１およびガイドアーム５６２と、クランプ可能状態で光ディスク１に対して進退して、光ディスク１をターンテーブル２３にて保持もしくはターンテーブル２３から脱離させるディスク処理部２０と、ディスク処理部２０を移動させてターンテーブル２３から光ディスク１を脱離させる第一シフトカム７１と、第二エマージェンシーピン９３０の挿入によりローディングアーム５１を右壁１０Ｃ側に回動させるローディングリンクアーム５２１と、を備えている。【選択図】図１
2008140516.tif 000002
【特許請求の範囲】
【請求項１】
ディスク状の記録媒体をガイドするガイド部材と、
前記記録媒体を搬出方向に押し出す搬出アームと、
前記記録媒体に対して進退可能に設けられ、前記記録媒体から離隔する退避位置、および前記記録媒体に近接して情報処理可能な状態に保持する保持位置に移動可能な保持手段と、
前記保持手段を、前記退避位置および前記保持位置に移動させる第一アンチャック手段と、
前記ガイド部材のガイドを解除することで、前記搬出アームの付勢力で前記記録媒体を排出させる第二アンチャック手段と、
を具備したことを特徴としたディスク搬送装置。
【請求項２】
請求項１に記載のディスク搬送装置であって、
前記搬出アームは、付勢部材により前記記録媒体を搬出する搬出方向に付勢されている
ことを特徴としたディスク搬送装置。
【請求項３】
請求項１または請求項２に記載のディスク搬送装置であって、
ガイド部材は、前記記録媒体の搬送経路を挟んで設けられる一対のアーム部材を備え、これらの一対のアーム部材を互いに近接させて前記記録媒体を挟持してガイドし、
前記第二アンチャック手段は、前記一対のアーム部材を互いに離隔する方向に移動させることでガイドを解除する
ことを特徴としたディスク搬送装置。
【請求項４】
請求項３に記載のディスク搬送装置であって、
前記一対のアーム部材のうち一方は、一端側が回動自在に支持されて、他端側で前記記録媒体を搬送する搬送アームであり、
前記第二アンチャック手段は、前記記録媒体を出し入れする挿排口を備えたケース体の一面に内外を連通する状態に設けられた第二アンチャック操作孔に対向して設けられるとともに、前記第二アンチャック操作孔から挿通される操作子により操作されることで、前記搬送アームを前記搬送経路から退避する退避方向に移動させる
ことを特徴としたディスク搬送装置。
【請求項５】
請求項４に記載のディスク搬送装置であって、
前記搬送アームは、前記一端側の回動中心を中心とした略円弧状のアームギアを備え、
前記第二アンチャック手段は、回動中心を有し、この回動中心を中心点とする略円弧状に形成され、前記アームギアに係合する係合ギアと、前記回動中心の径方向に突出するとともに、前記第二アンチャック操作孔に対向して、この第二アンチャック操作孔から離隔する方向に移動することで前記搬送アームを退避方向に回動させる回動片とを備えた
ことを特徴としたディスク搬送装置。
【請求項６】
請求項１ないし請求項５のいずれかに記載のディスク搬送装置であって、
前記搬出アームは、前記記録媒体が搬送される搬送面に対して略平行する舌状部と、前記舌状部から立ち上がって前記記録媒体の周縁を当接してガイド可能なガイド部とを備えた
ことを特徴としたディスク搬送装置。
【請求項７】
請求項１ないし請求項６のいずれかに記載のディスク搬送装置であって、
第一アンチャック手段は、前記記録媒体を出し入れする挿排口を備えたケース体の一面に内外を連通する状態に設けられる第一アンチャック操作孔の延長上を進退可能に設けられ、前記第一アンチャック操作孔に近接することで、前記保持手段を前記保持位置に移動させて、前記第一アンチャック操作孔から離隔することで、前記保持手段を前記退避位置に移動させるカム部材を備えた
ことを特徴としたディスク搬送装置。
【請求項８】
請求項７のいずれかに記載のディスク搬送装置であって、
前記第一アンチャック手段は、
駆動力を発生させる駆動手段と、
前記駆動手段の駆動力を前記カム部材に伝達可能な駆動伝達手段と、
前記駆動伝達手段の駆動力の伝達状態を、前記カム部材に駆動力を伝達させる駆動伝達状態と、前記カム部材に駆動力を伝達させない開放状態とを切り替える切替手段と、
を備えた
ことを特徴としたディスク搬送装置。
【請求項９】
請求項８に記載のディスク搬送装置であって、
前記ガイド部材は、前記記録媒体を搬送する搬送アームを備え、
前記駆動伝達手段は、前記駆動手段の駆動力を前記搬送アームに伝達する
ことを特徴としたディスク搬送装置。
【請求項１０】
請求項１ないし請求項９のいずれかに記載のディスク搬送装置と、
前記保持手段にて保持された前記記録媒体に記録された情報を読み込む読込処理および前記記録媒体に情報を記録する記録処理のうち少なくともいずれか一方の処理を実施する情報処理部と、
前記ディスク搬送装置、および前記情報処理部を内部に格納するとともに、前記記録媒体を出し入れする挿排口を備えたケース体と、
を具備したことを特徴としたディスク装置。
【発明の詳細な説明】
【技術分野】
【０００１】
本発明は、ディスク状の記録媒体を搬送するディスク搬送装置、およびディスク装置に関する。
【背景技術】
【０００２】
従来、光ディスクを強制排出可能なディスク装置が知られている。（例えば、特許文献１参照）。
【０００３】
この特許文献１に記載のものは、光ディスクの強制排出機構を備えた光ディスク装置である。この光ディスク装置は、カバーケースと、カバーケース内に設けられるメインシャーシと、メインシャーシに対して回動自在に設けられるサブシャーシと、メインシャーシに対して左右方向にスライド移動可能なスライド板と、カバーケースに対して突出入可能なトレイとを備えている。そして、サブシャーシから突出するスライドピンが、スライド板に設けられた長孔に係合されている。また、このスライド板は、左右方向にラックが設けられ（特許文献１中の図４参照）、モータなどの駆動によりラックに噛合されるピニオンを回転させることで左右方向にスライドされる。このスライド板の左右方向のスライドにより、スライドピンが長軸内を移動し、サブシャーシがトレイに対して接離方向に移動する。
また、カバーケースには、治具差込穴が設けられ、この治具差込穴の延長上に、治具の差込方向と直行する方向に回転自在に配設された扇形状の回動部材が設けられている。この回動部材の扇一端部がスライド板に一体的に設けられる作動ピンに当接可能となっている。
そして、治具差込穴から治具を差込み回動部材を回動させると、回動部材の一端部が作動ピンに当接して、スライド板がスライド移動され、スライド板の長孔に沿ってスライドピンが移動する。これにより、サブシャーシがトレイから離れる方向に移動して、光ディスクのクランプ状態が解除され、光ディスクが排出可能となる構成が採られている。
【０００４】
【特許文献１】特開２００６−２７７７８２号公報
【発明の開示】
【発明が解決しようとする課題】
【０００５】
ところで、上記特許文献１のような従来の構成では、治具を挿入して回動部材でスライド板を押してスライド移動させているため、例えばスライド板のラックにモータに接続されたピニオンなどが係合している状態では、モータを強制的に回転させる強い力が必要となり、光ディスクの強制排出に煩雑な作業が伴うという問題が一例として挙げられる。
また、光ディスクをスリットから直接挿排させる、いわゆるスロットインタイプのディスク装置に適用することができないという問題も一例として挙げられる。
【０００６】
本発明は、容易にディスクを強制排出可能なディスク搬送装置、およびディスク装置を提供することを１つの目的とする。
【課題を解決するための手段】
【０００７】
請求項１に記載の本発明は、ディスク状の記録媒体をガイドするガイド部材と、前記記録媒体を搬出方向に押し出す搬出アームと、前記記録媒体に対して進退可能に設けられ、前記記録媒体から離隔する退避位置、および前記記録媒体に近接して情報処理可能な状態に保持する保持位置に移動可能な保持手段と、前記保持手段を、前記退避位置および前記保持位置に移動させる第一アンチャック手段と、前記ガイド部材のガイドを解除することで、前記イジェクトアームの付勢力で前記記録媒体を排出させる第二アンチャック手段と、を具備したことを特徴としたディスク搬送装置である。
【０００８】
請求項１０に記載の発明は、請求項１ないし請求項９のいずれかに記載のディスク搬送装置と、前記保持手段にて保持された前記記録媒体に記録された情報を読み込む読込処理および前記記録媒体に情報を記録する記録処理のうち少なくともいずれか一方の処理を実施する情報処理部と、前記ディスク搬送装置、および前記情報処理部を内部に格納するとともに、前記記録媒体を出し入れする挿排口を備えたケース体と、を具備したことを特徴としたディスク装置である。
【発明を実施するための最良の形態】
【０００９】
以下、本発明に係る一実施形態のディスク装置を図面に基づいて説明する。図１は、本発明に係る一実施形態のディスク装置の初期状態における内部構成を示す平面図である。図２は、前記実施形態におけるディスク装置の搬入部および搬出部の構成を示す平面図である。図３は、前記実施形態におけるディスク装置の駆動部、搬出部およびクランプ部の構成を示す平面図である。図４は、前記実施形態における化粧板の正面図である。図５は、前記実施形態における駆動部の近傍を示す平面図である。図６は、前記実施形態における駆動部を構成する第一伝達ギアの構成を示す斜視図である。図７は、前記実施形態におけるサブローディングアームの断面図である。図８は、サブローディングアームの基端側から先端側を見た状態での側面図である。図９は、前記実施形態におけるディスク装置のリンクプレートの一部を示す平面図である。図１０は、前記実施形態におけるディスク装置のクランプ部を構成する第一シフトカムの背面側の平面図である。図１１は、前記実施形態における前記第一シフトカムを左壁側からみた側面図である。図１２は、前記実施形態におけるエマージェンシー機構のエマージェンシーレバー近傍の側面図である。
【００１０】
〔ディスク装置の構成〕
図１において、１００は、本発明の一実施形態に係るディスク装置であり、このディスク装置１００は、ディスク状の記録媒体としての光ディスク１の少なくとも一面に設けられた図示しない記録面に記録された情報を読み出す読取処理や記録面へ各種情報を記録する記録処理を実施する。このディスク装置１００は、例えばノート型パーソナルコンピュータなど、比較的厚み寸法に制限がある電気機器に装着されるいわゆる薄型スロットインタイプディスク装置である。なお、本実施形態では、ノート型パーソナルコンピュータに装着される薄型のディスク装置１００を例示するが、これに限らず、例えばゲーム機や、映像データの録画再生処理を実施する、いわゆるビデオ装置などに装着されてもよい。また、読取処理および記録処理のうちいずれか一方のみを実施する構成としても対象とすることができる。
【００１１】
また、このディスク装置１００は、光ディスク１として、直径１２ｃｍの大径ディスク１Ａと、直径８ｃｍの小径ディスク１Ｂとを収納することができる。なお、ディスク状の記録媒体としては、光ディスク１に限らず、磁気ディスク、光磁気ディスクなどのいずれのディスク状記録媒体を対象とすることができる。
【００１２】
そして、ディスク装置１００は、例えば金属製で内部空間を有する略箱形状のケース体を構成するケース体を構成する筐体１０を備えて構成されている。なお、この筐体１０において、図１中の下側の面を正面１０Ａ、図１中の筐体１０の左側壁を左壁１０Ｂ、図１中の筐体１０の右側壁を右壁１０Ｃ、図１中の上側の面を背面１０Ｄ、図１中の紙面手前側を天面側、図１中の紙面奥側を底面側と適宜称する。
【００１３】
筐体１０は、筐体本体部１１と、図中筐体本体部１１の右側に設けられるウィング部１２とを備えて構成されている。これらの筐体本体部１１およびウィング部１２は、天面が同一平面上に形成され、底面が異なる高さ寸法に形成されている。すなわち、ウィング部１２の底面は、筐体本体部１１の底面よりも天面からの距離寸法が小さく形成されている。そして、筐体本体部１１の右壁１０Ｃ側には、筐体本体部１１の底面から立ち上がり、筐体本体部１１の底面およびウィング部１２の底面を連結する段差壁部１３が形成されている。
【００１４】
筐体本体部１１の背面１０Ｄ側には、ベースプレート１１１が固定されている。このベースプレート１１１は、例えばアルミなどの金属により、左右方向（左壁１０Ｂから右壁１０Ｃに向かう方向）に長手となる略板状に形成されている。このベースプレート１１１は、筐体本体部１１の底面に対向して、ウィング部１２の底面と略同一高さ平面上に配置されている。
このベースプレート１１１の左右方向の両端側には、それぞれ前後方向（正面１０Ａから背面１０Ｄに向かう方向）に長手となるリンク案内孔１１２，１１３が形成されている。また、ベースプレート１１１の左壁１０Ｂの背面１０Ｄ側には、プレートリンクピン案内孔１１４が前後方向に長手に設けられている。
さらに、ベースプレート１１１の左壁１０Ｂ側には、右壁１０Ｃ側の背面１０Ｄ側から左壁１０Ｂの正面１０Ａ側に向かって傾斜するガイドアーム案内溝１１５が設けられている。さらには、ベースプレート１１１のガイドアーム案内溝１１５の左壁１０Ｂ側には、略三角形状のガイドアーム案内窓１１６が形成されている。
また、ベースプレート１１１の背面１０Ｄ側の略中央部には、背面１０Ｄ側から正面１０Ａ側に向かって円弧状のイジェクトアーム規制溝１１７が形成されている。
【００１５】
ウィング部１２は、右壁１０Ｃ近傍、かつ正面１０Ａ近傍に、ローディングアーム付勢部１２Ａを備えている。このローディングアーム付勢部１２Ａは、正面１０Ａに対向するアーム当接部１２Ｂを備え、このアーム当接部１２Ｂは、例えばばね部材などの付勢手段により背面１０Ｄ側に付勢されている。
【００１６】
また、筐体１０の正面１０Ａには、光ディスク１を挿入排出するための挿排口１４が、筐体本体部１１からウィング部１２に亘って、図１中左右方向に延びて形成されている。さらに、筐体１０の背面１０Ｄの左壁１０Ｂ側には、コネクタ部１５が形成されている。このコネクタ部１５は、制御回路部に電気的に接続されている。また、コネクタ部１５は、例えばディスク装置１００の外部のパーソナルコンピュータなどの外部機器と接続可能であり、外部機器から各種情報を送受信したり、電力が供給されるプラグが接続されたりする。
さらには、筐体１０の正面１０Ａ側の段差壁部１３の近傍には、挿排口１４を閉塞可能な閉塞レバー１６が設けられている。この閉塞レバー１６は、図１に示すように、平面視で略コ字状に形成され、コ字両端部が筐体１０の底面に設けられた支持部に回動可能に支持されている。そして、この閉塞レバー１６は、例えば後述するディスククランプ部７０の第一アンチャック手段を構成するカム部材としての第一シフトカム７１の移動状態に応じて回動し、光ディスク１が筐体１０の内部に搬送されて、情報処理可能な演奏可能状態となった状態において、挿排口１４を閉塞する状態に回動する。
【００１７】
さらに、筐体１０の正面１０Ａ側には、図４に示すようなケース体を構成する化粧板１０Ａ１が取り付けられている。この化粧板１０Ａ１には、挿排口１４に対向して、左右方向に長手となるディスク挿通孔１０Ａ２が設けられている。また、ディスク挿通孔１０Ａ２の下方の右壁１０Ｃ側には、第一操作孔としての第一エマージェンシーピン挿通孔１０Ａ３および第二操作孔としての第二エマージェンシーピン挿通孔１０Ａ４が設けられている。第一エマージェンシーピン挿通孔１０Ａ３は、後述する搬送手段３０のディスククランプ部７０の第一シフトカム７１の移動経路の延長上に位置して形成されている。また、第二エマージェンシーピン挿通孔１０Ａ４は、後述する搬入部５０のローディングリンク機構５２のローディングリンクアーム５２１の近傍に位置して形成されている。
また、化粧板１０Ａ１のディスク挿通孔１０Ａ２の下方の左壁１０Ｂ側には、イジェクトボタン１０Ａ５および、アクセス確認窓１０Ａ６などが設けられている。イジェクトボタン１０Ａ５は、背面１０Ｄ側に押下可能に設けられ、例えば利用者の操作により押下されることで、後述の制御回路部に光ディスク１を排出する旨の操作信号を出力する。アクセス確認窓１０Ａ６には、制御回路部に接続される図示しないアクセスランプが設けられる。このアクセスランプは、例えば光ディスク１がディスク装置１００の内部に挿入されて光ディスク１に所定の情報処理が実施されている状態で点灯し、アクセス確認窓１０Ａ６からアクセスランプの点灯状態を確認することで、光ディスク１の状態を確認することが可能となる。
【００１８】
そして、筐体１０の内部には、いわゆるトラバースメカと称される保持手段としてのディスク処理部２０と、光ディスク１を搬送するディスク搬送装置としての搬送手段３０と、図示しない制御回路部とが設けられている。
【００１９】
ディスク処理部２０は、筐体１０の挿排口１４近傍、すなわち、正面１０Ａの左壁１０Ｂ側から筐体１０の略中心位置に向かって長手に形成されている。このディスク処理部２０は、例えば金属板にて略板状に形成され、ディスク処理部２０の長手方向と略同一方向に長手となる台座部２１を有している。
【００２０】
この台座部２１は、筐体１０の略中心位置に対応する長手方向の一端側が筐体１０の高さ方向に略沿って揺動可能に、弾性を有するフロートゴム２１Ａを介して筐体１０内に配設されている。また、台座部２１には、長手方向に沿って、長手状の処理開口部２１Ｂが略中央に切欠形成されている。そして、台座部２１の処理開口部２１Ｂの一端側、すなわち筐体１０の略中心位置に、ディスク回転駆動手段２２が配設されている。このディスク回転駆動手段２２は、図示しないスピンドルモータと、このスピンドルモータの出力軸に一体的に設けられたターンテーブル２３とを備えている。スピンドルモータは、制御回路部に電気的に接続され、制御回路部から供給される電力により駆動する。ターンテーブル２３は、筐体１０の内部の略中心部に設けられるとともに光ディスク１を配置した状態で回転駆動する。
【００２１】
また、ターンテーブル２３の中心には、光ディスク１の中心に設けられる円形孔であるセンターホールを係脱可能なディスク係合部２３Ａが天面側に突出して形成されている。さらに、このディスク係合部２３Ａの周縁には、光ディスク１がディスク係合部２３Ａに係合された状態で天面側に突出し、光ディスク１の抜け落ちを防止する図示しない爪部材が設けられている。
【００２２】
また、台座部２１には、情報処理部２４が配設されている。この情報処理部２４は、台座部２１の長手方向に略沿った中心軸を有する一対のガイドシャフト２５間に架橋する状態に支持されており、図示しない移動機構により処理開口部２１Ｂ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップ機構を備えている。
【００２３】
搬送手段３０は、挿排口１４から挿入された光ディスク１を筐体１０の内部に搬入したり、搬入された光ディスク１をディスク処理部２０のターンテーブル２３に載置したり、筐体１０の内部の光ディスク１を外部に搬出したりする。そして、この搬送手段３０は、駆動部４０と、搬入部５０と、搬出部６０と、ディスククランプ部７０と、切替手段としてのエマージェンシー動作部８０と、などを備えている。
【００２４】
駆動部４０は、図１、図３および図５に示すように、搬送手段３０の各部を駆動させる駆動力を供給する。この駆動部４０は、駆動手段としての駆動モータ４１と、駆動伝達手段を構成する駆動伝達ギア群４２と、を備えている。
【００２５】
駆動モータ４１は、筐体１０の正面１０Ａの挿排口１４近傍で、ディスク処理部２０の配設によるデッドスペースとなるディスク処理部２０と段差壁部１３との間に配置されている。
この駆動モータ４１は、制御回路部に電気的に接続され、制御回路部からの制御信号に基づき、回転軸を回転駆動させる。また、回転軸の先端には、駆動伝達手段を構成するウォームギア４１１が設けられており、このウォームギア４１１は、駆動伝達ギア群４２に回転駆動力を伝達する。
【００２６】
駆動伝達ギア群４２は、駆動伝達手段を構成する第一伝達ギア４２１と、駆動伝達手段を構成するシフト駆動分岐ギア４２２と、ローラ駆動分岐ギア４２３と、駆動伝達手段を構成するカムシフトギア４２５と、を備えている。
【００２７】
第一伝達ギア４２１は、図６に示すように、雄型ギア４２１Ａと、雌型ギア４２１Ｂとを備えている。
【００２８】
雄型ギア４２１Ａは、雌型ギア４２１Ｂの底面側に配置されている。この雄型ギア４２１Ａは、周縁に形成される第一大径伝達ギア４２１Ａ１と、第一大径伝達ギア４２１Ａ１と同軸上で、この第一大径伝達ギア４２１Ａ１の底面側に一体的に設けられる第一底面側小径伝達ギア４２１Ａ２と、を備えている。また、雄型ギア４２１Ａの天面側には、周縁近傍にギアピン４２１Ａ３が雌型ギア４２１Ｂに向かって突出している。
雌型ギア４２１Ｂは、雄型ギア４２１Ａの天面側で、この雄型ギア４２１Ａと同軸上に設けられている。そして、この雌型ギア４２１Ｂは、周縁に第一天面側小径伝達ギア４２１Ｂ１（図５および図６参照）を備えている。
また、雌型ギア４２１Ｂは、底面側の外周縁近傍に略円弧状のギアピン係合溝４２１Ｂ２が形成されている。さらに、このギアピン係合溝４２１Ｂ２において、時計回り方向端部（図５中左側の端部）には、第一ギアピン係止部４２１Ｂ３が設けられ、反時計回り方向端部（図５中右側の端部）には、第二ギアピン係止部４２１Ｂ４が設けられている。
そして、ギアピン係合溝４２１Ｂ２には、雄型ギア４２１Ａのギアピン４２１Ａ３が係合されている。すなわち、ギアピン４２１Ａ３は、ギアピン係合溝４２１Ｂ２の第一および第二ギアピン係止部４２１Ｂ３，４２１Ｂ４間で移動可能に設けられている。これにより、雌型ギア４２１Ｂは、ギアピン４２１Ａ３がギアピン係合溝４２１Ｂ２を移動可能な所定角度だけ、雄型ギア４２１Ａに対して相対回転可能に設けられる。
【００２９】
また、第一伝達ギア４２１の第一大径伝達ギア４２１Ａ１は、ウォームギア４１１に噛合され、駆動モータ４１の回転駆動力を、筐体１０の底面に対して直交する軸を中心とした回転駆動力に変換する。また、第一底面側小径伝達ギア４２１Ａ２は、シフト駆動分岐ギア４２２に噛合され、第一天面側小径伝達ギア４２１Ｂ１は、ローラ駆動分岐ギア４２３に噛合されている。これにより、第一伝達ギア４２１は、駆動モータ４１からの回転駆動力をシフト駆動分岐ギア４２２およびローラ駆動分岐ギア４２３に伝達する。
【００３０】
このような第一伝達ギア４２１では、ギアピン４２１Ａ３が第一ギアピン係止部４２１Ｂ３に当接して係止されている状態では、雄型ギア４２１Ａが時計回り方向に回転すると、雌型ギア４２１Ｂも駆動が伝達されて時計回り方向に回転し、後述のローラ５１３が光ディスク１を搬入する搬入方向に回転される。また、駆動モータ４１が駆動していない状態において、雌型ギア４２１Ｂが時計回り方向に空周り可能となるため、後述のローラ５１３も光ディスク１を搬入する搬入方向に空周り可能となる。
一方、ギアピン４２１Ａ３が第二ギアピン係止部４２１Ｂ４に当接して係止されている状態では、雄型ギア４２１Ａが反時計回り方向に回転すると、雌型ギア４２１Ｂも駆動が伝達されて反時計回り方向に回転し、後述のローラ５１３が光ディスク１を搬出する搬出方向に回転される。また、駆動モータ４１が駆動していない状態において、雌型ギア４２１Ｂが反時計回り方向に空周り可能となるため、後述のローラ５１３も光ディスク１を搬出する搬出方向に空周り可能となる。
【００３１】
また、第一伝達ギア４２１と駆動伝達ギア群４２の天面側に設けられる後述するカバー部材４３との間には、所定間隔の隙間寸法が設けられ、第一伝達ギア４２１は上下方向に移動可能に設けられている。そして、第一伝達ギア４２１とカバー部材４３との隙間には、ギア付勢ばね４２１Ｃ（図１２参照）が設けられ、第一伝達ギア４２１を底面側に付勢している。
【００３２】
第一伝達ギア４２１の第一大径伝達ギア４２１Ａ１は、ウォームギア４１１に噛合され、駆動モータ４１の回転駆動力を、筐体１０の底面に対して直交する軸を中心とした回転駆動力に変換する。また、第一底面側小径伝達ギア４２１Ａ２は、シフト駆動分岐ギア４２２に噛合され、第一天面側小径伝達ギア４２１Ｂ１は、ローラ駆動分岐ギア４２３に噛合されている。これにより、第一伝達ギア４２１は、駆動モータ４１からの回転駆動力をシフト駆動分岐ギア４２２およびローラ駆動分岐ギア４２３に伝達する。
【００３３】
シフト駆動分岐ギア４２２は、径寸法が大きい大径シフト駆動分岐ギア４２２Ａと、大径シフト駆動分岐ギア４２２Ａと同軸上で底面側に一体的に設けられる駆動分岐ピニオン４２２Ｂとを備えている。そして、大径シフト駆動分岐ギア４２２Ａは、第一伝達ギア４２１の第一底面側小径伝達ギア４２１Ａ２に噛合され、駆動分岐ピニオン４２２Ｂは、カムシフトギア４２５に噛合している。
【００３４】
ローラ駆動分岐ギア４２３は、第一天面側小径伝達ギア４２１Ｂ１、および搬入部５０の後述するガイド部材を構成する搬送アームとしてのローディングアーム５１に噛合されている。これにより、第一伝達ギア４２１から伝達された回転駆動力をローディングアーム５１に伝達する。
【００３５】
カムシフトギア４２５は、径寸法が大きい大径シフトギア４２５Ａと、この大径シフトギア４２５Ａと同軸上で天面側に一体に設けられ、径寸法が小さいピニオンギア４２５Ｂと、を備えている。ここで、大径シフトギア４２５Ａは、第一シフトカム７１の底面側、すなわち筐体本体部１１と第一シフトカム７１との間に設けられ、ピニオンギア４２５Ｂは、第一シフトカム７１の端面に形成される後述するラック７１１Ａの進退移動経路に設けられている。この大径シフトギア４２５Ａは、シフト駆動分岐ギア４２２の駆動分岐ピニオン４２２Ｂに噛合されている。一方、ピニオンギア４２５Ｂは、ディスククランプ部７０の後述する第一シフトカム７１に噛合可能に設けられており、光ディスク１が挿入されていない初期状態では、ピニオンギア４２５Ｂと第一シフトカム７１の後述するラック７１１Ａとの間には、所定寸法のクリアランスが設けられている。
【００３６】
そして、駆動部４０の天面側には、カバー部材４３が設けられている。このカバー部材４３は、例えば合成樹脂などにて形成され、駆動モータ４１および駆動伝達ギア群４２の天面側を覆う状態に、筐体本体部１１に固定されている。このカバー部材４３には、左右方向（左壁１０Ｂから右壁１０Ｃに向かう方向）に長手状に形成される段差部４３１が設けられている。この段差部４３１は、後述するローディングアーム５１に当接可能に設けられ、ローディングアーム５１の一部が当接することでローディングアーム５１の移動を規制する。
また、前述したように、カバー部材４３と第一伝達ギア４２１との間には、ギア付勢ばね４２１Ｃが設けられており、第一伝達ギア４２１を底面側に付勢している。
【００３７】
搬入部５０は、図１および図２に示すように、駆動部４０から供給される駆動力により駆動され、挿排口１４から挿入された光ディスク１を筐体１０の内部に搬入する。この搬入部５０は、ローディングアーム５１と、ローディングリンク機構５２と、ガイド部材を構成するアーム部材としてのサブローディングアーム５３と、サブアームリンク機構５４と、リンクプレート５５と、ガイド機構５６と、などを備えている。
【００３８】
ローディングアーム５１は、長手状に形成され、一端部がウィング部１２の挿排口１４近傍に回動可能に取り付けられ、他端部が筐体１０の中心位置に対して進退可能となるように設けられている。このローディングアーム５１は、先端部に光ディスク１を保持可能なローラ５１３を備えており、このローラ５１３の回転駆動により光ディスク１を搬送経路に沿って搬送する。
そして、ローディングアーム５１は、搬送される光ディスク１の径寸法に応じて、光ディスク１を案内可能な位置まで右壁１０Ｃ側に回動される。すなわち、例えば大径ディスク１Ａを搬送する場合、ローディングアーム５１は、右壁１０Ｃの近傍まで回動される。一方、小径ディスク１Ｂを搬送する場合には、ローディングアーム５１は、小径ディスク１Ｂを搬送可能な位置、すなわち、ターンテーブル２３の回転中心から前後方向（正面１０Ａから背面１０Ｄに向かう方向）に伸ばした中心線（センターライン）とローラ５１３までの距離が略４ｃｍとなる位置まで回動される。また、ディスク処理部２０が天面側に移動して、光ディスク１をターンテーブル２３にクランプした演奏可能状態では、ローディングアーム５１は右壁１０Ｃ側に回動され、ローラ５１３が光ディスク１の周縁から離反する。
そして、このローディングアーム５１は、長手状のローディングアーム本体５１１と、このローディングアーム本体５１１に設けられる駆動伝達部を構成するローラ駆動部５１２と、上記したローラ５１３と、を備えている。なお、ウォームギア４１１と、駆動伝達ギア群４２と、ローラ駆動部５１２とにより、本発明の駆動伝達部が構成される。
【００３９】
ローディングアーム本体５１１は、例えば合成樹脂製で、ローディングアーム５１の長手方向に沿って長手に形成される板状部材である。このローディングアーム本体５１１の基端部には、軸支部５１１Ａが設けられている。そして、ローディングアーム本体５１１は、ウィング部１２の底面から天面側に突設される軸により軸支部５１１Ａを中心として回転可能に軸支されることで、先端部が筐体１０の内方側に向かって進退可能となる。
また、このローディングアーム本体５１１は、長手先端側の挿排口１４側の端縁に底面側に突出するストッパ片５１１Ｃを一体的に備えている。このストッパ片５１１Ｃは、上記したカバー部材４３に対向して位置し、ローディングアーム５１が挿排口１４に最も近接する状態（初期状態）において、カバー部材４３の段差部４３１に当接する。すなわち、ローディングアーム５１は、ストッパ片５１１Ｃと段差部４３１とが当接する位置から挿排口１４側への回動が規制される。
このローディングアーム本体５１１の基端側端面には、軸支部５１１Ａを中心とした所定径寸法の円弧状のアームギアとしての第一歯車５１１Ｂが一体的に設けられている。
また、ローディングアーム本体５１１の先端部には、ローラ５１３を取り付ける図示しないローラ取付孔が形成されている。
さらに、ローディングアーム本体５１１の基端側には、底面側に突出するアームピン５１１Ｄが設けられている。このアームピン５１１Ｄは、ローディングアーム５１が右壁１０Ｃ側に所定角度回動した状態で、前記したローディングアーム付勢部１２Ａのアーム当接部１２Ｂに当接する。そして、ローディングアーム５１がさらに右壁１０Ｃ側に回動すると、ローディングアーム５１は、ローディングアーム付勢部１２Ａにより半時計回り方向に付勢される。
【００４０】
ローラ駆動部５１２は、ローディングアーム本体５１１の底面部側に設けられている。このローラ駆動部５１２は、ローディングアーム本体５１１の軸支部５１１Ａを軸支する軸を回転中心とした第一ローラ駆動ギア５１２Ａと、第一ローラ駆動ギア５１２Ａに噛合される第二ローラ駆動ギア５１２Ｂと、第二ローラ駆動ギア５１２Ｂに噛合される第三ローラ駆動ギア５１２Ｃと、第三ローラ駆動ギア５１２Ｃに噛合される第四ローラ駆動ギア５１２Ｄと、を備えている。そして、第一ローラ駆動ギア５１２Ａは、駆動部４０のローラ駆動分岐ギア４２３に噛合され、駆動部４０から駆動力が伝達される。また、第四ローラ駆動ギア５１２Ｄは、ローラ５１３に噛合され、駆動部４０から第一ないし第三ローラ駆動ギア５１２Ａ，５１２Ｂ，５１２Ｃを介して伝達される駆動力をローラ５１３に伝達する。
【００４１】
また、これらの第一ないし第四ローラ駆動ギア５１２Ａ，５１２Ｂ，５１２Ｃ，５１２Ｄは、ローディングアーム本体５１１とウィング部１２との隙間寸法と略同一、若しくは若干小さい厚み寸法に形成されており、ローディングアーム５１の回動時に、第一ないし第四ローラ駆動ギア５１２Ａ，５１２Ｂ，５１２Ｃ，５１２Ｄがウィング部１２に干渉しないように設定されている。
【００４２】
ローラ５１３は、ローディングアーム本体５１１の先端部のローラ取付孔に回転可能に取り付けられている。このローラ５１３は、ローディングアーム本体５１１の底面側に設けられるローラ歯車５１３Ａと、ローディングアーム本体５１１の天面側に設けられるローラ本体５１３Ｂとを備えている。これらのローラ歯車５１３Ａおよびローラ本体５１３Ｂは、ローディングアーム本体５１１のローラ取付孔を貫通する軸により一体的に形成されている。
【００４３】
ローラ歯車５１３Ａは、第四ローラ駆動ギア５１２Ｄに噛合され、第三ローラ駆動ギア５１２Ｃの回転駆動により回転される。
ローラ本体５１３Ｂは、ローディングアーム本体５１１の面に対して略直交する方向を軸とした略円筒状に形成されている。このローラ本体５１３Ｂは、軸方向の中心部の径寸法が天面側および底面側の径寸法よりも径小となる凹状部を有している。また、ローラ本体５１３Ｂの周面は、例えば合成樹脂などの弾性部材により形成されている。そして、ローラ本体５１３Ｂは、凹状部にて光ディスク１の周縁部を保持した状態で、回転駆動されることで光ディスク１を搬送経路に沿って進退させる。
【００４４】
ローディングリンク機構５２は、第二アンチャック手段としてのローディングリンクアーム５２１と、ローディングスライドプレート５２２と、などを備えている。
【００４５】
ローディングリンクアーム５２１は、ウィング部１２の底面に回動可能に設けられている。このローディングリンクアーム５２１は、略扇状に形成され、扇の円弧に沿って、ローディングアーム本体５１１の第一歯車５１１Ｂに係合される係合ギアとしての第二歯車５２１Ａが形成されている。また、ローディングリンクアーム５２１の第二歯車５２１Ａの内方側、すなわち左壁１０Ｂ側には、ウィング部１２の底面に向かって突出するローディングリンクピン５２１Ｂが設けられている。
【００４６】
また、ローディングリンクアーム５２１は、緊急回動片５２１Ｃを備えている。この緊急回動片５２１Ｃは、ローディングアーム５１が所定量回動して、アームピン５１１Ｄがローディングアーム付勢部１２Ａのアーム当接部１２Ｂに当接した状態で、化粧板１０Ａ１の第二エマージェンシーピン挿通孔１０Ａ４に対向する位置で、かつ、ローディングリンクアーム５２１の回動中心の右壁１０Ｃ側の位置に設けられている。この緊急回動片５２１Ｃは、例えば光ディスク１を強制排出する際に、略棒状の第二エマージェンシーピンが第二エマージェンシーピン挿通孔１０Ａ４から挿通されると、この第二エマージェンシーピン９３０（図１９参照）の先端部が当接する。そして、第二エマージェンシーピン９３０をさらに背面１０Ｄ側に挿通することで、緊急回動片５２１Ｃが背面１０Ｄ側に押し込まれ、ローディングリンクアーム５２１が反時計回り方向に回動し、これに伴ってローディングアーム５１が時計回り方向に回動する。
【００４７】
ローディングスライドプレート５２２は、段差壁部１３に対向して前後方向（筐体１０の正面１０Ａから背面１０Ｄに向かう方向）に長手に形成されている。また、ローディングスライドプレート５２２の正面１０Ａ側には、天面側端縁から右壁１０Ｃ側に突出し、ウィング部１２側の底面に対向する第一ローディングリンク係合部５２２Ａが形成されている。
この第一ローディングリンク係合部５２２Ａには、左右方向に長手となるローディング係合溝５２２Ｂが形成されており、このローディング係合溝５２２Ｂにローディングリンクアーム５２１のローディングリンクピン５２１Ｂが係合されている。そして、ローディングスライドプレート５２２は、ローディングアーム５１の回動によりローディングリンクアーム５２１が回動すると、ローディングリンクピン５２１Ｂが前後方向に進退するため、このローディングリンクピン５２１Ｂの移動に応じて、前後方向にスライド移動する。
【００４８】
また、ローディングスライドプレート５２２の背面１０Ｄ側には、筐体の内方側に突出する第二ローディングリンク係合部５２２Ｃが形成されている。この第二ローディングリンク係合部５２２Ｃには、第二ローディング係合溝５２２Ｄが形成されている。この第二ローディング係合溝５２２Ｄは、左壁１０Ｂ側の背面１０Ｄ側から右壁１０Ｃの正面１０Ａ側に向かうスライド移動区間５２２Ｄ１と、このスライド移動区間５２２Ｄ１の背面１０Ｄ側端部に連続するとともに、左壁１０Ｂ側に向かって延出する空走区間５２２Ｄ２と、を備えている。
【００４９】
また、第二ローディングリンク係合部５２２Ｃには、筐体本体部１１の底面側に突出するローディング案内ピンが設けられ、ベースプレート１１１のリンク案内孔１１２に係合されている。
【００５０】
さらに、ローディングスライドプレート５２２の前後方向の略中心位置には、前後方向に伸びるローディング案内溝５２２Ｅが形成されており、ローディングスライドプレート５２２のスライド移動方向を案内している。
【００５１】
サブローディングアーム５３は、長手状に形成され、基端部が左壁１０Ｂの正面１０Ａ側で、挿排口１４近傍に回動可能に取り付けられている。これにより、サブローディングアーム５３の先端部は、筐体１０の中心位置に向かって進退自在となる。
このサブローディングアーム５３は、図７および図８に示すように、基端部から先端部に亘って、光ディスク１の搬送面に略直交する摺動壁５３１と、摺動壁５３１の底面側に連続形成され、摺動壁５３１から離隔する方向に延出する底面側案内部５３２と、摺動壁５３１の天面側に連続形成されて底面側案内部５３２に対向する天面側案内部５３３と、を備えた断面略コ字状に形成されている。
摺動壁５３１には、サブローディングアーム５３の先端部から略中央部に亘って、グリップシート５３１Ａが例えば貼付されるなどして設けられている。このグリップシート５３１Ａは、例えば合成樹脂などにより形成され、所定の摩擦力を有している。そして、このグリップシート５３１Ａに光ディスク１の周縁が当接した状態で、ローラ５１３が回転駆動すると、光ディスク１は、ローラ５１３の回転方向に応じた方向にグリップシート５３１Ａ上を回転し、略転がるようにして所定搬送方向に搬送される。
【００５２】
また、サブローディングアーム５３の底面側案内部５３２および天面側案内部５３３は、長手方向の略中央部が摺動壁５３１から離隔する方向に延出して幅広となる幅広部５３２Ａ，５３３Ａが形成されている。また、底面側案内部５３２および天面側案内部５３３の長手方向先端側は、幅広部５３２Ａ，５３３Ａの延出先端から摺動壁５３１に向かって傾斜する傾斜辺５３２Ｂ，５３３Ｂが形成され、図１に示すように、摺動壁５３１側端縁を底辺とした略三角形状に形成されている。この傾斜辺５３２Ｂ，５３３Ｂは、大径ディスク１Ａが情報処理可能な位置に搬入され、サブローディングアーム５３が最も左壁１０Ｂ側に回動した演奏可能状態において、大径ディスク１Ａと上下方向で重ならない形状に形成されている。
また、底面側案内部５３２は、延出方向先端側から摺動壁５３１に向かうにしたがって、底面側から天面側に向かって傾斜するテーパ状に形成されている。さらに、天面側案内部５３３の延出方向先端縁は、延出方向先端側から摺動壁５３１に向かうにしたがって、天面側から底面側に向かって傾斜するテーパ状に形成されている。これにより、挿排口１４から挿入された光ディスク１をテーパ面に沿わせて摺動壁５３１に案内することが可能となる。
【００５３】
また、サブローディングアーム５３の基端部の左壁１０Ｂ側には、底面側に突出するサブアームガイドピン５３４が形成されている。このサブアームガイドピン５３４は、サブローディングアーム５３が左壁１０Ｂ側に回動すると正面１０Ａ側に移動し、サブローディングアーム５３が右壁１０Ｃ側に回動すると背面１０Ｄ側に移動する。
【００５４】
このようなサブローディングアーム５３は、ローディングアーム５１と同様に、搬送される光ディスク１の径寸法に応じて光ディスク１を案内可能な位置まで左壁１０Ｂ側に回動される。例えば、大径ディスク１Ａを搬送する場合、サブローディングアーム５３は、左壁１０Ｂの近傍まで回動される。一方、小径ディスク１Ｂを搬送する場合、サブローディングアーム５３は、ターンテーブル２３の回転中心から前後に伸ばした中心線（センターライン）とサブローディングアーム５３の先端部までの距離が約４ｃｍとなる位置まで左壁１０Ｂ側に回動される。また、演奏可能状態では、サブローディングアーム５３は、左壁１０Ｂ側近傍まで回動され、光ディスク１の周縁から離反する。
【００５５】
サブアームリンク機構５４は、サブアームスライドプレート５４１を備えている。
【００５６】
このサブアームスライドプレート５４１は、左壁１０Ｂに対向して前後方向に長手に形成されている。また、サブアームスライドプレート５４１の正面１０Ａ側には、底面側端縁からサブローディングアーム５３の回動軸に向かって延出するサブアームリンク係合部５４１Ａが形成されている。このサブアームリンク係合部５４１Ａには、左右方向に長手となるサブアームリンク溝５４１Ｂが形成されており、サブアームガイドピン５３４が係合されている。
また、サブアームスライドプレート５４１の略中央位置には、右壁１０Ｃ側に突出して、ベースプレート１１１の天面側に位置する案内片５４１Ｃが設けられている。この案内片５４１Ｃには、ベースプレート１１１のリンク案内孔１１３に係合する一対のリンクピン５４１Ｄが正面１０Ａ側および背面１０Ｄ側にそれぞれ設けられ、サブアームスライドプレート５４１の前後方向の移動を案内している。これらのリンクピン５４１Ｄには、それぞれ合成樹脂製のリング状の摺動部材が嵌合されている。そして、サブアームスライドプレート５４１が前後方向に移動することにより、サブアームガイドピン５３４が前後方向に移動され、サブローディングアーム５３が回動する。
さらに、背面１０Ｄ側に配置されるリンクピン５４１Ｄと、ベースプレート１１１の背面側に設けられる図示しないばね掛け部とには、ばねが掛け渡されており、サブアームスライドプレート５４１は、背面１０Ｄ側に付勢されている。
【００５７】
また、サブアームスライドプレート５４１の背面１０Ｄ側には、筐体１０の内方側に突出するプレートリンク係合部５４１Ｅが形成されている。このプレートリンク係合部５４１Ｅには、底面側に突出するプレートリンクピン５４１Ｆが形成されている。このプレートリンクピン５４１Ｆは、後述するリンクプレート５５に係合されている。
さらに、サブアームスライドプレート５４１の天面側で、リンクピン５４１Ｄの正面１０Ａ側には、天面側に突出するリバースピン５４１Ｇが形成されている。
【００５８】
リンクプレート５５は、筐体１０の背面１０Ｄ側に設けられ、左右方向に亘って長手状に形成される板状部材である。また、リンクプレート５５は、ローディングアーム５１およびサブローディングアーム５３の動作に応じて、左右方向に移動可能に設けられており、光ディスク１が挿入されていない初期状態では、最も右壁１０Ｃ側に移動した状態で配置される。そして、このリンクプレート５５は、スライドリンクピン５５１と、スライドリンク溝５５２と、イジェクト規制窓５５３と、セレクト片５５４と、スライド案内溝５５５と、カム制御ピン５５６と、を備えている。
【００５９】
スライドリンクピン５５１は、リンクプレート５５の右壁１０Ｃ側端部近傍に、天面側に突出して設けられている。このスライドリンクピン５５１は、ローディングスライドプレート５２２の第二ローディング係合溝５２２Ｄに係合されている。そして、ローディングアーム５１の回動によりローディングスライドプレート５２２が前後方向に移動すると、スライドリンクピン５５１も第二ローディング係合溝５２２Ｄに沿って移動する。これにより、リンクプレート５５は、左右方向に移動する。
【００６０】
スライドリンク溝５５２は、リンクプレート５５の左壁１０Ｂ側端部近傍に形成されている。
このスライドリンク溝５５２は、図９に示すように、左壁１０Ｂ側に形成される非同期係合溝５５２Ａと、非同期係合溝５５２Ａから、正面１０Ａ側かつ右壁１０Ｃ側に傾斜して延出する同期係合溝５５２Ｂと、を備えている。このスライドリンク溝５５２には、サブアームスライドプレート５４１のプレートリンクピン５４１Ｆが係合されている。
非同期係合溝５５２Ａは、背面１０Ｄ側に左右方向に形成される背面側規制部５５２Ａ１と、背面側規制部５５２Ａ１の右壁１０Ｃ側端部から正面１０Ａ側に延びるローディング規制部５５２Ａ２と、ローディング規制部５５２Ａ２に対向して背面側規制部５５２Ａ１の左壁１０Ｂ側端部から正面１０Ａ側に延びる左壁側規制部５５２Ａ３と、背面側規制部５５２Ａ１に対向して左壁側規制部５５２Ａ３の正面１０Ａ側端部から右壁１０Ｃ側に延びるサブローディング規制部５５２Ａ４と、を備えた略矩形状に形成されている。そして、背面側規制部５５２Ａ１とサブローディング規制部５５２Ａ４との隙間寸法、左壁側規制部５５２Ａ３とローディング規制部５５２Ａ２との隙間寸法は、それぞれプレートリンクピン５４１Ｆのピン径よりも大きい寸法に形成されている。そして、初期状態において、プレートリンクピン５４１Ｆは、非同期係合溝５５２Ａの背面１０Ｄ側で左壁１０Ｂ側、すなわち背面側規制部５５２Ａ１および左壁側規制部５５２Ａ３の交差部位近傍に係合されている。
同期係合溝５５２Ｂは、非同期係合溝５５２Ａのローディング規制部５５２Ａ２とサブローディング規制部５５２Ａ４との交差部から正面１０Ａ側でかつ右壁１０Ｃ側に延びる長手状の溝である。この同期係合溝５５２Ｂは、幅寸法がプレートリンクピン５４１Ｆのピン径と略同一寸法、もしくは僅かに大きい寸法に形成されている。この同期係合溝５５２Ｂは、小径ディスク１Ｂがターンテーブル２３にて保持可能なクランプ可能状態となる位置に搬入された状態においてプレートリンクピン５４１Ｆが係合される。なお、同期係合溝５５２Ｂにプレートリンクピン５４１Ｆが係合されるタイミングとしては、小径ディスク１Ｂがクランプ可能状態に搬送された状態で係合されていればよく、例えばクランプ可能状態となる前にプレートリンクピン５４１Ｆが同期係合溝５５２Ｂに係合される構成などとしてもよい。
【００６１】
そして、このスライドリンク溝５５２は、非同期係合溝５５２Ａにプレートリンクピン５４１Ｆが係合されている状態で、ローディングアーム５１およびサブローディングアーム５３が同期せず、それぞれ独立に移動可能となる。
すなわち、前記したように、初期状態において、プレートリンクピン５４１Ｆは、スライドリンク溝５５２の非同期係合溝５５２Ａの背面側規制部５５２Ａ１およびの左壁側規制部５５２Ａ３の交差部位近傍に係合されている。
この状態から例えば小径ディスク１Ｂが左壁１０Ｂ側から挿入された場合、小径ディスク１Ｂが当接したサブローディングアーム５３は、反時計回り方向に回動する。この時、サブローディングアーム５３の回動によりプレートリンクピン５４１Ｆが正面１０Ａ側に移動するが、リンクプレート５５が変位しないため、ローディングアーム５１は同期しない。小径ディスク１Ｂをさらに挿入すると、プレートリンクピン５４１Ｆがサブローディング規制部５５２Ａ４に当接し、サブローディングアーム５３の回動が規制される。なお、この時、サブローディングアーム５３は、挿排口１４の略中央から小径ディスク１Ｂを挿入した状態において、ローディングアーム５１のローラ５１３と摺動壁５３１との間で小径ディスク１Ｂの最大径部を保持可能な位置で回動が規制されている。つまり、サブローディングアーム５３は、ディスク装置１００のセンターラインからサブローディングアーム５３の摺動壁５３１の先端部までの距離寸法が小径ディスク１Ｂの半径寸法と略同一寸法となる位置で回動が規制される。
これにより、小径ディスク１Ｂは左壁１０Ｂ側から右壁１０Ｃ側に案内され、これに伴ってローディングアーム５１が小径ディスク１Ｂに押されて時計回り方向に回動される。そして、小径ディスク１Ｂが略中央部に案内されると、ローディングアーム５１の回動によりリンクプレート５５も左壁１０Ｂ側に移動し、プレートリンクピン５４１Ｆが同期係合溝５５２Ｂに係合される。したがって、ローディングアーム５１とサブローディングアーム５３とが同期して動作可能となる。
【００６２】
一方、小径ディスク１Ｂが右壁１０Ｃ側から挿入された場合、ローディングアーム５１は、時計回り方向に回動する。この時、ローディングアーム５１の回動によりリンクプレート５５が左壁１０Ｂ側に移動するが、非同期係合溝５５２Ａの左壁側規制部５５２Ａ３およびローディング規制部５５２Ａ２がプレートリンクピン５４１Ｆのピン径よりも十分大きく形成されているため、プレートリンクピン５４１Ｆが押し出されず、サブローディングアーム５３が同期せず回動しない。小径ディスク１Ｂをさらに挿入すると、リンクプレート５５が移動して、プレートリンクピン５４１Ｆがローディング規制部５５２Ａ２に当接し、ローディングアーム５１の回動が規制される。なお、この時、ローディングアーム５１は、挿排口１４の略中央から小径ディスク１Ｂを挿入した状態において、ローラ５１３とサブローディングアーム５３の摺動壁５３１との間で小径ディスク１Ｂの最大径部を保持可能な位置で回動が規制されている。
これにより、小径ディスク１Ｂは右壁１０Ｃ側から左壁１０Ｂ側に案内され、これに伴ってサブローディングアーム５３が小径ディスク１Ｂに押されて反時計回り方向に回動される。そして、小径ディスク１Ｂが略中央部に案内されると、サブローディングアーム５３の回動によりプレートリンクピン５４１Ｆが正面１０Ａ側に移動し、同期係合溝５５２Ｂに係合される。したがって、ローディングアーム５１とサブローディングアーム５３とが同期して動作可能となる。
また、小径ディスク１Ｂを挿排口１４の略中央部から挿入した場合、小径ディスク１Ｂの周縁に押し出されてローディングアーム５１およびサブローディングアーム５３が回動する。したがって、プレートリンクピン５４１Ｆが正面１０Ａ側に移動するとともに、リンクプレート５５も左壁１０Ｂ側に移動する。したがって、プレートリンクピン５４１Ｆは、相対的にみて背面側規制部５５２Ａ１および左壁側規制部５５２Ａ３の交差部位から、ローディング規制部５５２Ａ２およびサブローディング規制部５５２Ａ４の交差部位に向かって略直線状に移動し、ローディング規制部５５２Ａ２やサブローディング規制部５５２Ａ４により規制されることなく、同期係合溝５５２Ｂに係合される。
【００６３】
イジェクト規制窓５５３は、リンクプレート５５の略中心に形成される窓である。このイジェクト規制窓５５３は、搬出部６０の後述する搬出アームとしての第一イジェクトアーム６１の移動を規制する。このイジェクト規制窓５５３は、小径規制係合部５５３Ａと、大径規制係合部５５３Ｂと、小径離隔係合部５５３Ｃと、大径離隔係合部５５３Ｄとを備えている。また、イジェクト規制窓５５３には、第一イジェクトアーム６１に設けられるイジェクトピン６１１が挿通されている。そして、これらの小径規制係合部５５３Ａ、大径規制係合部５５３Ｂ、小径離隔係合部５５３Ｃ、および大径離隔係合部５５３Ｄは、イジェクトピン６１１が移動してそれぞれに係脱可能となるように互いに連通されており、リンクプレート５５がローディングアーム５１およびサブローディングアーム５３と連動して左右方向にスライド移動することで、イジェクトピン６１１との係脱状態が変化する。
【００６４】
小径規制係合部５５３Ａは、イジェクト規制窓５５３の正面１０Ａ側で、かつ左壁１０Ｂ側に設けられている。この小径規制係合部５５３Ａに、イジェクトピン６１１が係合された時に、小径ディスク１Ｂがターンテーブル２３にて保持可能なクランプ可能状態となる。
【００６５】
大径規制係合部５５３Ｂは、イジェクト規制窓５５３の背面１０Ｄ側で、かつ左壁１０Ｂ側に設けられている。具体的には、大径規制係合部５５３Ｂは、小径規制係合部５５３Ａの右方から背面１０Ｄ側に伸びる大径対応溝５５３Ｅの先端側に設けられている。そして、この大径規制係合部５５３Ｂに、イジェクトピン６１１が係合された時に、大径ディスク１Ａがターンテーブル２３にて保持可能なクランプ状態となる。
【００６６】
小径離隔係合部５５３Ｃは、小径規制係合部５５３Ａの右壁１０Ｃ側の若干背面１０Ｄ側に形成されている。この小径離隔係合部５５３Ｃに、イジェクトピン６１１が係合された時に、小径ディスク１Ｂがターンテーブル２３にて保持されて情報処理部２４にて情報処置可能な演奏可能状態となる。
【００６７】
大径離隔係合部５５３Ｄは、大径規制係合部５５３Ｂの右壁１０Ｃ側の若干背面１０Ｄ側に形成されている。そして、大径離隔係合部５５３Ｄに、イジェクトピン６１１が係合された時に、大径ディスク１Ａがターンテーブル２３にて保持されて情報処理部２４にて情報処置可能な演奏可能状態となる。
【００６８】
セレクト片５５４は、リンクプレート５５の背面１０Ｄ側で右壁１０Ｃ側に、背面１０Ｄ側に向かって突出形成されている。
【００６９】
スライド案内溝５５５は、リンクプレート５５の略中央部に設けられ、左右方向に長手状に形成されている。このスライド案内溝５５５は、ベースプレート１１１から底面側に突出形成されるリンクプレート案内ピン１１８が設けられ、合成樹脂性のリング状摺動部材を介して係合され、リンクプレート５５の左右方向の移動を案内する。
【００７０】
カム制御ピン５５６は、リンクプレート５５の正面１０Ａ側で右壁１０Ｃ側に、ディスククランプ部７０の第一シフトカム７１に向かって突出形成されている。
【００７１】
また、リンクプレート５５の背面１０Ｄ側の端縁には、筐体１０の底面に向かって折り曲げ形成されたスイッチ片５５７，５５８が形成されている。このスイッチ片５５７，５５８は、リンクプレート５５の左右移動により、筐体１０の底面に配置された制御回路部に設けられる第一スイッチＳＷ１および第二スイッチＳＷ２のオン／オフ状態を切り換える。
【００７２】
ここで、これらの第一スイッチＳＷ１および第二スイッチＳＷ２は、制御回路部の背面１０Ｄ側で、スイッチ片５５７，５５８の左右進退移動の移動経路上に設けられている。そして、第一スイッチＳＷ１は左壁１０Ｂ側でコネクタ部１５の近傍に設けられ、第二スイッチＳＷ２は第一スイッチＳＷ１よりも右壁１０Ｃ側に配設されている。
【００７３】
これらの第一スイッチＳＷ１および第二スイッチＳＷ２は、スイッチ本体と、スイッチ本体から背面１０Ｄ側に突出するとともにスイッチ本体に対して進退自在な可動片を有している。そして、これら第一スイッチＳＷ１および第二スイッチＳＷ２は、可動片が突出した状態ではオフ状態であり、このオフ状態では、制御回路部から供給される基準電圧に基づいて「Ｈ(High)」レベルとして制御回路部にて検出される。一方、リンクプレート５５の移動によりスイッチ片５５７，５５８が可動片に当接すると、可動片がスイッチ本体内部に移動してオン状態となり、このオン状態では、制御回路部から供給される基準電圧に基づいて「Ｌ(Low)」レベルとして制御回路部にて検出される。
【００７４】
これらの第一スイッチＳＷ１および第二スイッチＳＷ２は、光ディスク１が挿入されていない初期状態では、いずれも可動片が背面１０Ｄ側に突出したオフ状態に設定されている。そして、光ディスク１が挿入されてローディングアーム５１およびサブローディングアーム５３の回動とともにリンクプレート５５が左壁１０Ｂ側に移動すると、まず直ちに第二スイッチＳＷ２がオン状態（Ｌレベル）となる。その後、さらにリンクプレート５５が左側に移動すると、第一スイッチＳＷ１がオン状態（Ｌレベル）になる。
【００７５】
ガイド機構５６は、ベースプレート１１１の天面側に配設され、挿排口１４から挿入された光ディスク１の搬入をガイドする。このガイド機構５６は、ガイドプレート５６１と、搬出アームとしてのガイドアーム５６２とを備えている。
【００７６】
ガイドプレート５６１は、略三角形板状に形成されている。具体的には、ガイドプレートは、略左右方向に伸びる底辺と、この底辺より正面１０Ａ側に配置されて底辺に対向する頂点とを備えた略三角形状に形成されている。
このガイドプレート５６１の底辺の右壁１０Ｃ側に位置する頂点近傍には、底面側に突出するガイド案内ピン５６１Ａが突出形成され、ベースプレート１１１のガイドアーム案内溝１１５に係合されている。
また、ガイドプレート５６１の底辺の左壁１０Ｂ側に位置する頂点近傍には、底面側に突出するばね掛けピン５６１Ｂが突出形成され、ベースプレート１１１のガイドアーム案内窓１１６に挿通されている。
さらに、ガイドプレート５６１の底辺に対向する正面１０Ａ側の頂点には、孔部が設けられ、ガイドアーム５６２が回動自在に連結されている。
【００７７】
ガイドアーム５６２は、長手板状に形成されている。このガイドアーム５６２の長手方向の一端部には、ガイド回動軸５６２Ａがベースプレート１１１側に突出形成されている。このガイド回動軸５６２Ａは、ベースプレート１１１の左壁１０Ｂ側に回動自在に軸支されている。
また、ガイドアーム５６２の一端側で、ガイド回動軸５６２Ａよりも長手他端側となる位置には、ガイドプレート５６１に向かって突出するガイド連結軸５６２Ｂが設けられている。このガイド連結軸５６２Ｂは、ガイドプレート５６１の正面１０Ａ側の頂点に設けられる孔部に回動自在に挿通されている。
さらに、ガイドアーム５６２の他端側には、天面側に突出するディスクガイド部５６２Ｃが設けられている。このディスクガイド部５６２Ｃは、略円錐状のディスク受部５６２Ｄと、ディスク受部５６２Ｄの底面側に設けられるフランジ部５６２Ｅとを備えている。このディスクガイド部５６２Ｃは、フランジ部５６２Ｅにて光ディスク１の周縁をディスク受部５６２Ｄに案内し、ディスク受部５６２Ｄに光ディスク１の周縁が当接された状態で、光ディスク１の姿勢を保持して搬送を案内する。
【００７８】
さらに、ガイドアーム５６２のガイド回動軸５６２Ａの近傍には、戻り当接部５６２Ｇが設けられている。この戻り当接部５６２Ｇは、ガイドアーム５６２が最も左壁１０Ｂ側に回動した状態で、リバースピン５４１Ｇの背面１０Ｄ側に僅かに隙間が開くように配置されている。そして、戻り当接部５６２Ｇは、サブアームスライドプレート５４１が、背面１０Ｄ側に移動すると、リバースピン５４１Ｇの移動に追従して背面１０Ｄ側に移動し、ガイドアーム５６２を時計回り方向に回動させる。
【００７９】
そして、ガイドプレート５６１のばね掛けピン５６１Ｂと、ベースプレート１１１の左壁１０Ｂ側に設けられるばね掛け部１１９との間には、付勢手段としてのガイドばね５６３が掛け渡されている。つまり、ガイドばね５６３は、ベースプレート１１１およびガイドプレート５６１を架橋し、ガイドプレート５６１を挿排口１４に近接する方向に付勢する状態で設けられている。
【００８０】
このようなガイド機構５６では、ばね掛けピン５６１Ｂ、ガイド回動軸５６２Ａ、およびガイド連結軸５６２Ｂの位置に応じて、ガイドアーム５６２の付勢方向が変化する。
【００８１】
具体的には、ガイド連結軸５６２Ｂには、ガイドばね５６３によるガイドプレート５６１の付勢により、ばね掛けピン５６１Ｂからガイド連結軸５６２Ｂに向かう方向（ばね対応付勢方向）への力が常に発生する。また、ガイド連結軸５６２Ｂが、ばね掛けピン５６１Ｂおよびガイド回動軸５６２Ａを結ぶ線分（基準線分）より右壁１０Ｃ側に位置する状態（右側位置状態）では、ガイドアーム５６２の回動によるガイド連結軸５６２Ｂの移動方向（回動時移動方向）と、ばね対応付勢方向とのなす角度は、鋭角となる。このため、右側位置状態では、ガイド連結軸５６２Ｂで発生したばね対応付勢方向へ力の少なくとも一部が、回動時移動方向への力に変換され、ガイドアーム５６２は、時計回り方向への付勢力を受ける。
さらに、ガイドアーム５６２の反時計回りへの回動により、ガイド連結軸５６２Ｂが移動して右側位置状態から基準線分上に位置する状態（線分上位置状態）に近づくにしたがって、ガイドプレート５６１が背面１０Ｄに移動して、ガイドばね５６３のばね力が大きくなり、ばね対応付勢方向への力も大きくなる。しかし、ばね対応付勢方向と、回動時移動方向とのなす角度は、鋭角から直角に近づく。このため、右側位置状態から線分上位置状態に近づくにしたがって、ガイド連結軸５６２Ｂで発生したばね対応付勢方向へ力が回動時移動方向への力に変換される割合が減少して、ガイドアーム５６２が受ける時計回り方向への付勢力は小さくなる。つまり、ガイドアーム５６２が受ける光ディスク１を排出する方向への付勢力は、光ディスク１が挿入されるにしたがって小さくなる。
【００８２】
また、線分上位置状態では、ガイドプレート５６１が背面１０Ｄに最も近づく位置まで移動して、ガイドばね５６３のばね力が最大となり、ばね対応付勢方向への力も最大となる。しかし、ばね対応付勢方向と、回動時移動方向とのなす角度は、直角になる。このため、線分上位置状態では、ばね対応付勢方向へ力が回動時移動方向への力に全く変換されずに、ガイドアーム５６２が受ける時計回り方向または反時計回り方向への付勢力は０になる。したがって、ガイドアーム５６２は、回動しない。
【００８３】
さらに、ガイド連結軸５６２Ｂが基準線分より左壁１０Ｂ側に位置する状態（左側位置状態）では、回動時移動方向と、ばね対応付勢方向とのなす角度は、鋭角となる。このため、左側位置状態では、ばね対応付勢方向へ力の少なくとも一部が、回動時移動方向への力に変換され、ガイドアーム５６２は、反時計回り方向への付勢力を受ける。
【００８４】
次に搬出部６０の構成を説明する。搬出部６０は、図１、図２および図３に示すように、第一イジェクトアーム６１と、第二イジェクトアーム６２と、を備えている。これらの第一および第二イジェクトアーム６１，６２は、筐体１０の背面１０Ｄ側で互いに交差して回動可能に設けられている。すなわち、第一イジェクトアーム６１は、背面１０Ｄの右壁１０Ｃ側から正面１０Ａの左壁１０Ｂ側に向かって長手に形成されており、第二イジェクトアーム６２は、背面１０Ｄの左壁１０Ｂ側から正面１０Ａの右壁１０Ｃ側に向かって長手に形成されている。
また、第一および第二イジェクトアーム６１，６２の回動中心軸６１Ａ，６２Ａは、背面１０Ｄから所定寸法だけ正面１０Ａ側で、かつターンテーブル２３の中心を通過するセンターラインおよび右壁１０Ｃ、センターラインおよび左壁１０Ｂとの間にそれぞれ設けられている。この構成により、回動中心軸６１Ａ，６２Ａを、第一シフトカム７１およびコネクタ部１５に干渉しない位置に取り付けることが可能であり、大径ディスク１Ａの挿入時に第一および第二イジェクトアーム６１，６２の先端部を背面１０Ｄ近傍まで回動させることが可能となる。
【００８５】
そして、第一イジェクトアーム６１は、前述したように、底面側に突出するイジェクトピン６１１を備えている。このイジェクトピン６１１は、第二イジェクトアーム６２の略中心位置に形成されるアームリンク孔６２１、前述したリンクプレート５５のイジェクト規制窓５５３、およびベースプレート１１１に形成されるイジェクトアーム規制溝１１７に係合されている。このイジェクトピン６１１は、イジェクトアーム規制溝１１７に沿って回動し、回動途中において、イジェクト規制窓５５３の小径規制係合部５５３Ａ、大径規制係合部５５３Ｂ、小径離隔係合部５５３Ｃ、大径離隔係合部５５３Ｄに係合されて、移動が規制される。また、イジェクトピン６１１がアームリンク孔６２１に挿通されているため、第二イジェクトアーム６２が第一イジェクトアーム６１に連動して回動する。
【００８６】
また、第一イジェクトアーム６１の左壁１０Ｂ側の先端部には、光ディスク１を当接可能な第一ディスク当接部６１２が形成されている。さらに、第一イジェクトアーム６１の右壁１０Ｃ側の基端部には、第一シフトカム７１に向かって突出するカム押出ピン６１３が設けられている。このカム押出ピン６１３は、第一イジェクトアーム６１が回動すると、回動量に応じて第一シフトカム７１を正面１０Ａ側に押し出して移動させる。
【００８７】
そして、第一イジェクトアーム６１の回動中心軸６１Ａ近傍には、ばね係合突起６１４が形成されている。そして、第一イジェクトアーム６１は、このばね係合突起６１４とベースプレート１１１の背面１０Ｄ側に設けられる図示しないばね掛け部との間にばねが取り付けられ、常に反時計周り方向、すなわち第一ディスク当接部６１２が正面１０Ａ側に回動する方向に付勢されている。
【００８８】
第二イジェクトアーム６２には、前記したように、長手方向の略中心位置に、アームリンク孔６２１が形成され、イジェクトピン６１１が挿通されている。
また、第二イジェクトアーム６２の先端部には、光ディスク１を当接可能な第二ディスク当接部６２２が設けられている。この第二ディスク当接部６２２は、第一ディスク当接部６１２に対して常にセンターラインに対して略対称となる位置に配置される。すなわち、第一および第二イジェクトアーム６１，６２が回動すると、第一ディスク当接部６１２および第二ディスク当接部６２２は、センターラインに対して常に略線対称となるように回動する。これら第一および第二イジェクトアーム６１，６２の第一ディスク当接部６１２および第二ディスク当接部６２２と、ローディングアーム５１のローラ５１３およびサブローディングアーム５３の摺動壁５３１と、ガイドアーム５６２のディスクガイド部５６２Ｃとにより、光ディスク１（１Ａ，１Ｂ）の周縁が保持され、搬送される。
【００８９】
次に、ディスククランプ部７０の構成を説明する。ディスククランプ部７０は、図１、図３、図１０、および図１１に示すように、第一シフトカム７１と、ディスク処理部２０の背面１０Ｄ側に設けられる第二シフトカム７２とを備えている。
【００９０】
第一シフトカム７１は、筐体１０の段差壁部１３に沿って、前後方向に長手に形成されている。この第一シフトカム７１は、初期状態において、最も背面１０Ｄ側に移動した状態で配置され、前記したように第一イジェクトアーム６１のカム押出ピン６１３により正面１０Ａ側に押し出される。
具体的には、第一シフトカム７１は、カム本体部７１１と、スライドプレート７１２と、セレクトアーム７１３と、などを備えている。
カム本体部７１１は、第一シフトカム７１の正面１０Ａ側に配置される長手状の部材である。このカム本体部７１１の正面１０Ａ側で、左壁１０Ｂに対向する側面には、ラック７１１Ａが形成されている。このラック７１１Ａは、カムシフトギア４２５のピニオンギア４２５Ｂに係合可能に設けられている。また、上述したように、初期状態において、ラック７１１Ａとピニオンギア４２５Ｂとの間には、所定寸法のクリアランスが設けられている。そして、光ディスク１の搬入により第一シフトカム７１が正面１０Ａ側に移動することでクリアランスが小さくなり、光ディスク１の搬入終端縁が挿排口１４よりも背面１０Ｄ側に搬入された状態で、ラック７１１Ａとピニオンギア４２５Ｂとが係合する。
【００９１】
また、カム本体部７１１の左壁１０Ｂに対向する面のラック７１１Ａの背面１０Ｄ側には、図１０に示すように、クランプ昇降溝７１４が形成されている。そして、このクランプ昇降溝７１４には、台座部２１から右壁１０Ｃ側に突設されたクランプ昇降ピン２１Ｃが係合されており、第一シフトカム７１の進退により、クランプ昇降ピン２１Ｃが移動することで台座部２１が昇降する。そして、このクランプ昇降溝７１４は、図１１に示すように、退避部７１４Ａと、待機部７１４Ｂと、クランプ部７１４Ｃと、演奏可能部７１４Ｄとを備えており、これらの溝が連続して形成されている。
退避部７１４Ａは、クランプ昇降溝７１４の正面１０Ａ側で、筐体１０の底面に最も近接した高さ位置に前後方向に延びて形成されている。
待機部７１４Ｂは、退避部７１４Ａの背面１０Ｄ側に、ディスク処理部２０にて光ディスク１の情報処理が可能な高さ位置と略同一の高さに形成されている。この待機部７１４Ｂでは、光ディスク１のセンターホールとターンテーブル２３との位置補正が実施されるとともに、光ディスク１のセンターホールがターンテーブル２３のディスク係合部２３Ａに挿通され、光ディスク１がターンテーブル２３に位置決めされる。
クランプ部７１４Ｃは、天面側に突出する山形状の溝である。このクランプ部７１４Ｃにクランプ昇降ピン２１Ｃが係合されると、台座部２１を天面側に移動させて、ターンテーブル２３を天面に設けられる図示しないクランプ部材に当接若しくは近接させる。このとき、光ディスク１がターンテーブル２３に押し付けられる。これにより、クランプ部材とターンテーブル２３との間に光ディスク１が挟み込まれ、ターンテーブル２３のディスク係合部２３Ａに光ディスク１のセンターホールが係合される。さらに、センターホールに爪部材が係合して、光ディスク１がターンテーブル２３にチャッキングされる。
演奏可能部７１４Ｄは、クランプ部７１４Ｃの背面１０Ｄ側に形成されている。そして、この演奏可能部７１４Ｄにクランプ昇降ピン２１Ｃが係合されると、情報処理部２４にて光ディスク１の情報が処理される演奏可能状態となる。
【００９２】
また、カム本体部７１１の背面１０Ｄ側の天面に対向する面には、凹溝状のばね設置部７１１Ｃが設けられている。
【００９３】
さらに、カム本体部７１１の背面１０Ｄ側端部には、左壁１０Ｂ側に突出するスイッチ当接部７１１Ｄが設けられている。
【００９４】
スライドプレート７１２は、図１０に示すように、カム本体部７１１の背面１０Ｄ側に前後方向に摺動可能に設けられている。そして、スライドプレート７１２の正面１０Ａ側には、凹溝状のばね設置部７１２Ａが設けられ、カム本体部７１１のばね設置部７１１Ｃとの間で付勢ばね７１５が設けられている。これにより、スライドプレート７１２は、背面１０Ｄ側に付勢されている。
【００９５】
また、スライドプレート７１２の天面側には、カム溝７１６が形成されている。このカム溝７１６は、待機溝７１６Ａと、小径ディスク用カム溝７１６Ｂと、大径ディスク用カム溝７１６Ｃと、を備えている。待機溝７１６Ａは、カム溝７１６の正面１０Ａ側に形成され、左右方向に長手となる溝である。このカム溝７１６には、リンクプレート５５のカム制御ピン５５６が挿通されている。
【００９６】
小径ディスク用カム溝７１６Ｂは、待機溝７１６Ａに連続形成され、待機溝７１６Ａの右壁１０Ｃ側から背面１０Ｄ側に向かって形成される溝である。この小径ディスク用カム溝７１６Ｂは、小径ディスク用クランプ開始部７１６Ｂ１と、小径ディスク用クランプ昇降部７１６Ｂ２と、小径ディスク用ホールド部７１６Ｂ３と、小径ディスク用チャッキング部７１６Ｂ４と、を備えている。
【００９７】
小径ディスク用クランプ開始部７１６Ｂ１は、小径ディスク１Ｂがターンテーブル２３にて保持可能な位置に搬入された状態（クランプ可能状態）において、カム制御ピン５５６が係合される溝部である。この状態から、駆動部４０の駆動力により第一シフトカム７１が正面１０Ａ側に移動すると、カム制御ピン５５６がこの小径ディスク用クランプ開始部７１６Ｂ１から小径ディスク用クランプ昇降部７１６Ｂ２に移動する。また、小径ディスク用クランプ開始部７１６Ｂ１は、待機溝７１６Ａ側の溝幅寸法がカム制御ピン５５６のピン径よりも大きく形成されており、小径ディスク用クランプ昇降部７１６Ｂ２に向かうにしたがって溝幅寸法が小さくなり、カム制御ピン５５６のピン径と略同一幅寸法となる略テーパ状に形成されている。
【００９８】
小径ディスク用クランプ昇降部７１６Ｂ２は、小径ディスク用クランプ開始部７１６Ｂ１に連続するとともに溝幅寸法がカム制御ピン５５６のピン径と略同一径寸法、もしくは僅かに大きい溝幅寸法に形成されている。この小径ディスク用クランプ昇降部７１６Ｂ２は、小径ディスク１Ｂが挿入された場合において、クランプ昇降ピン２１Ｃがクランプ昇降溝７１４の退避部７１４Ａから待機部７１４Ｂの正面１０Ａ側端部に移動する区間で、カム制御ピン５５６が係合される溝であり、第一シフトカム７１の長手方向と略同一方向に長手状に形成されている。この小径ディスク用クランプ昇降部７１６Ｂ２にカム制御ピン５５６が係合している状態では、小径ディスク１Ｂはターンテーブル２３に保持されていない。
【００９９】
小径ディスク用ホールド部７１６Ｂ３は、小径ディスク用クランプ昇降部７１６Ｂ２の背面１０Ｄ側端部から背面１０Ｄの左壁１０Ｂ側に向かって延出する溝部である。この小径ディスク用ホールド部７１６Ｂ３は、小径ディスク１Ｂが挿入された場合において、クランプ昇降ピン２１Ｃがクランプ昇降溝７１４の待機部７１４Ｂを移動する区間で、カム制御ピン５５６が係合される溝である。つまり、カム制御ピン５５６が小径ディスク用ホールド部７１６Ｂ３内を移動する間に、小径ディスク１Ｂのセンターホールがターンテーブル２３に位置決めされ、リンクプレート５５が左壁１０Ｂ側に移動してローディングアーム５１、サブローディングアーム５３、第一および第二イジェクトアーム６１，６２が小径ディスク１Ｂの周縁から接離移動する。したがって、カム制御ピン５５６が小径ディスク用ホールド部７１６Ｂ３の背面１０Ｄ側端部に位置する状態では、小径ディスク１Ｂがターンテーブル２３に位置決めされ、各アーム５１，５３，６１，６２が小径ディスク１Ｂの周縁から離隔している。
【０１００】
小径ディスク用チャッキング部７１６Ｂ４は、小径ディスク用ホールド部７１６Ｂ３の背面１０Ｄ側端部から背面１０Ｄ側に向かって延出する溝部である。この小径ディスク用チャッキング部７１６Ｂ４は、小径ディスク１Ｂが挿入された場合において、クランプ昇降ピン２１Ｃがクランプ昇降溝７１４のクランプ部７１４Ｃおよび演奏可能部７１４Ｄを移動する区間で、カム制御ピン５５６が係合される溝である。この小径ディスク用チャッキング部７１６Ｂ４にカム制御ピン５５６が係合されている状態では、リンクプレート５５が最も左壁１０Ｂに移動された状態、すなわち、各アーム５１，５３，６１，６２が小径ディスク１Ｂの周縁から離隔させた状態で維持される。
【０１０１】
大径ディスク用カム溝７１６Ｃは、待機溝７１６Ａに連続形成され、待機溝７１６Ａの右壁１０Ｃ側から背面１０Ｄ側に向かって形成される溝である。この大径ディスク用カム溝７１６Ｃは、大径ディスク用クランプ開始部７１６Ｃ１と、大径ディスク用クランプ昇降部７１６Ｃ２と、大径ディスク用ホールド部７１６Ｃ３と、大径ディスク用チャッキング部７１６Ｃ４と、を備えている。
【０１０２】
大径ディスク用クランプ開始部７１６Ｃ１は、大径ディスク１Ａがターンテーブル２３にて保持可能な位置に搬入された状態（クランプ可能状態）において、カム制御ピン５５６が係合される溝部である。この状態から、駆動部４０の駆動力により第一シフトカム７１が正面１０Ａ側に移動すると、カム制御ピン５５６がこの大径ディスク用クランプ開始部７１６Ｃ１から大径ディスク用クランプ昇降部７１６Ｃ２に移動する。また、大径ディスク用クランプ開始部７１６Ｃ１は、小径ディスク用クランプ開始部７１６Ｂ１と同様に、待機溝７１６Ａ側の溝幅寸法がカム制御ピン５５６のピン径よりも大きく形成されており、大径ディスク用クランプ昇降部７１６Ｃ２に向かうにしたがって溝幅寸法がカム制御ピン５５６のピン径と略同一幅寸法となるテーパ状に形成されている。
【０１０３】
大径ディスク用クランプ昇降部７１６Ｃ２は、大径ディスク用クランプ開始部７１６Ｃ１に連続するとともに溝幅寸法がカム制御ピン５５６のピン径と略同一径寸法、もしくは僅かに大きい溝幅寸法に形成されている。この大径ディスク用クランプ昇降部７１６Ｃ２は、大径ディスク１Ａが挿入された場合において、クランプ昇降ピン２１Ｃがクランプ昇降溝７１４の退避部７１４Ａから待機部７１４Ｂの正面１０Ａ側端部に移動する区間で、カム制御ピン５５６が係合される溝であり、第一シフトカム７１の長手方向と略同一方向に長手状に形成されている。この大径ディスク用クランプ昇降部７１６Ｃ２にカム制御ピン５５６が係合している状態では、大径ディスク１Ａはターンテーブル２３に保持されていない。
【０１０４】
大径ディスク用ホールド部７１６Ｃ３は、大径ディスク用クランプ昇降部７１６Ｃ２の背面１０Ｄ側端部から背面１０Ｄの左壁１０Ｂ側に向かって延出する溝部である。この大径ディスク用ホールド部７１６Ｃ３は、大径ディスク１Ａが挿入された場合において、クランプ昇降ピン２１Ｃがクランプ昇降溝７１４の待機部７１４Ｂを移動する区間で、カム制御ピン５５６が係合される溝である。つまり、カム制御ピン５５６が大径ディスク用ホールド部７１６Ｃ３内を移動する間に、大径ディスク１Ａのセンターホールがターンテーブル２３に位置決めされ、リンクプレート５５が左壁１０Ｂ側に移動してローディングアーム５１、サブローディングアーム５３、第一および第二イジェクトアーム６１，６２が大径ディスク１Ａの周縁から接離移動する。したがって、カム制御ピン５５６が大径ディスク用ホールド部７１６Ｃ３の背面１０Ｄ側端部に位置する状態では、大径ディスク１Ａがターンテーブル２３に位置決めされ、各アーム５１，５３，６１，６２が大径ディスク１Ａの周縁から離隔している。
【０１０５】
大径ディスク用チャッキング部７１６Ｃ４は、大径ディスク用ホールド部７１６Ｃ３の背面１０Ｄ側端部から背面１０Ｄ側に向かって延出する溝部である。この大径ディスク用チャッキング部７１６Ｃ４は、大径ディスク１Ａが挿入された場合において、クランプ昇降ピン２１Ｃがクランプ昇降溝７１４のクランプ部７１４Ｃおよび演奏可能部７１４Ｄを移動する区間で、カム制御ピン５５６が係合される溝である。この大径ディスク用チャッキング部７１６Ｃ４にカム制御ピン５５６が係合されている状態では、リンクプレート５５が最も左壁１０Ｂに移動された状態、すなわち、各アーム５１，５３，６１，６２が大径ディスク１Ａの周縁から離隔させた状態で維持される。
【０１０６】
セレクトアーム７１３は、図１０に示すように、スライドプレート７１２の底面側に設けられている。このセレクトアーム７１３は、前後方向に長手状に形成され、正面１０Ａ側の一端部が支軸７１３Ａによりスライドプレート７１２に回動自在に軸支されている。この支軸７１３Ａには図示しないトーションばねが設けられ、セレクトアーム７１３を反時計回り方向に付勢している。
【０１０７】
また、セレクトアーム７１３の略中央部には、天面側に向かってアーム位置規制ピン７１３Ｂが突出して設けられている。このアーム位置規制ピン７１３Ｂの左壁１０Ｂ側は、リンクプレート５５のセレクト片５５４に当接している。そして、リンクプレート５５の左右方向への移動によりセレクト片５５４が左右方向に移動すると、セレクトアーム７１３はトーションばねの付勢力によりこのセレクト片５５４に追従して回動する。
【０１０８】
そして、セレクトアーム７１３の背面１０Ｄ側端部には、左壁１０Ｂ側に突出する第一押出壁部７１３Ｃが形成され、セレクトアーム７１３の略中央部には、右壁１０Ｃ側に第二押出壁部７１３Ｄが形成されている。
これらの第一および第二押出壁部７１３Ｃ，７１３Ｄは、第一イジェクトアーム６１のカム押出ピン６１３と当接可能で、第一イジェクトアーム６１の回動により、カム押出ピン６１３により正面１０Ａ側に押し出される。
ここで、ディスク装置１００内に大径ディスク１Ａが挿入されると、リンクプレート５５の移動量が大きくなるためセレクトアーム７１３の回動量も大きくなり、第二押出壁部７１３Ｄがカム押出ピン６１３により正面１０Ａ側に押し出される。また、ディスク装置１００内に小径ディスク１Ｂが挿入されると、リンクプレート５５の移動量が小さいため、セレクトアーム７１３の回動量も小さくなり、第一押出壁部７１３Ｃがカム押出ピン６１３により正面１０Ａ側に押し出される。
【０１０９】
また、第一シフトカム７１の背面１０Ｄ側近傍には、例えば底面に配置される制御回路部に搭載される第三スイッチＳＷ３が配設されている。この第三スイッチＳＷ３は、第一シフトカム７１の移動状態を検出する。
【０１１０】
具体的には、この第三スイッチＳＷ３は、上記第一および第二スイッチＳＷ１，ＳＷ２と同様に、制御回路部に接続され、スイッチ本体と可動片とを備えて構成されている。そして、第三スイッチＳＷ３は、第一シフトカム７１が最も正面１０Ａ側に移動すると、スイッチ当接部７１１Ｄが当接して押し込まれ、オン状態（Ｌレベル）になる。
【０１１１】
第二シフトカム７２は、第一シフトカム７１の動作と連動して左右方向にスライド移動する。すなわち、第一シフトカム７１が正面１０Ａ側に移動すると、第二シフトカムは左壁１０Ｂ側に移動し、第一シフトカム７１が背面１０Ｄ側に移動すると、第二シフトカムは右壁１０Ｃ側に移動する。また、第二シフトカムの正面１０Ａ側端面には、第一シフトカム７１のクランプ昇降溝７１４と略同一形状の図示しないクランプ昇降溝が形成されている。このクランプ昇降溝には、台座部２１から背面１０Ｄ側に突出する図示しないクランプ昇降ピン２１Ｃが係合されている。そして、第二シフトカムは、左右方向に移動することで第一シフトカム７１と同様に、ディスク処理部２０を揺動させている。
また、第二シフトカム７２の左壁１０Ｂ側端部には、ピン当接部７２１が設けられている。このピン当接部７２１は、第二シフトカム７２が最も左壁１０Ｂ側に移動した状態で、ガイド機構５６のガイド案内ピン５６１Ａを左壁１０Ｂ側に押し出し、ガイドアーム５６２を左壁１０Ｂ側に回動させる。
【０１１２】
エマージェンシー動作部８０は、エマージェンシーレバー８１を備えている。
このエマージェンシーレバー８１は、駆動部４０の第一伝達ギア４２１の近傍で、段差壁部１３近傍に設けられている。このエマージェンシーレバー８１は、図１２に示すように、回動支持部８１１と、ギア移動部８１２と、ピン当接部８１３と、を備えている。
回動支持部８１１は、筐体１０の底面に設けられ、前記した閉塞レバー１６を回動可能に支持する支持部に回動可能に支持されている。
ギア移動部８１２は、回動支持部８１１から第一伝達ギア４２１の底面側に延出する長手状に形成され、先端部に第一伝達ギア４２１の底面に当接可能なギア当接部８１２Ａが設けられている。
ピン当接部８１３は、段差壁部１３に略沿って長手に形成されるとともに、第一シフトカム７１の移動経路の延長上に配設されている。このピン当接部８１３の背面１０Ｄ側端部が回動支持部８１１に連結されている。また、このピン当接部８１３の正面１０Ａ側には、背面１０Ｄ側に向かうにしたがって底面側から天面側に傾斜する傾斜片８１３Ａが形成されている。
【０１１３】
このエマージェンシーレバー８１は、第一エマージェンシーピン挿通孔１０Ａ３から例えば長手状の第一エマージェンシーピン９２０（図１９参照）が挿通されると、第一エマージェンシーピン９２０の先端部がピン当接部８１３の傾斜片８１３Ａに当接する。そして、第一エマージェンシーピン９２０をさらに挿通すると、この第一エマージェンシーピン９２０が傾斜片８１３Ａを底面側に押し下げるため、エマージェンシーレバー８１が回動支持部８１１を中心に回動し、ギア移動部８１２が天面側に移動して第一伝達ギア４２１を天面側に押し上げる。
【０１１４】
〔ディスク装置の動作〕
次に、上記ディスク装置の動作について、図面を参照して説明する。
図１３は、大径ディスクのモータ駆動開始状態におけるディスク装置の内部を示す平面図である。図１４は、大径ディスクの搬入途中におけるディスク装置の内部を示す平面図である。図１５は、大径ディスクのカム押出開始状態におけるディスク装置の内部を示す平面図である。図１６は、大径ディスクの搬入完了状態におけるディスク装置の内部を示す平面図である。図１７は、大径ディスクの搬入完了状態における第一シフトカム、リンクプレート、およびローディングスライドプレートの係合状態の概略を示す平面図である。図１８は、大径ディスクの演奏可能状態時におけるディスク装置の内部を示す平面図である。図１９は、エマージェンシー操作具の概略を示す平面図である。図２０は、エマージェンシー動作におけるエマージェンシーレバーの側面図である。図２１は、小径ディスクのモータ駆動開始状態におけるディスク装置の内部を示す平面図である。図２２は、小径ディスクのカム押出開始状態におけるディスク装置の内部を示す平面図である。図２３は、小径ディスクの搬入完了状態におけるディスク装置の内部を示す平面図である。図２４は、小径ディスクの搬入完了状態における第一シフトカム、リンクプレート、およびローディングスライドプレートの係合状態の概略を示す平面図である。図２５は、小径ディスクの演奏可能状態時におけるディスク装置の内部を示す平面図である。図２６は、小径ディスクを左壁側から挿入した場合における小径ディスクの搬送経路を模式的に示す図である。図２７は、小径ディスクを右壁側から挿入した場合における小径ディスクの搬送経路を模式的に示す図である。
【０１１５】
（大径ディスクの搬入動作）
先ず、ディスク装置１００に大径ディスク１Ａを挿入した場合の搬入動作を説明する。
【０１１６】
図１に示すように、初期状態のディスク装置１００の挿排口１４から大径ディスク１Ａを挿入すると、この大径ディスク１Ａの周縁部がローディングアーム５１のローラ５１３およびサブローディングアーム５３の先端側の摺動壁５３１に当接する。この時、大径ディスク１Ａは、サブローディングアーム５３の底面側案内部５３２および天面側案内部５３３に案内されて、サブローディングアーム５３の摺動壁５３１の先端側に当接する。また、例えば大径ディスク１Ａを左壁１０Ｂ寄りから挿入した場合などでは、大径ディスク１Ａの周縁がサブローディングアーム５３の基端側（回転軸側）に当接するが、摺動壁５３１の基端側にはグリップシート５３１Ａが設けられていないため、大径ディスク１Ａの周縁がこの摺動壁５３１上を滑るようにして挿入され、大径ディスク１Ａの挿入に伴って、大径ディスク１Ａの周縁と摺動壁５３１との当接位置がサブローディングアーム５３の先端側に移動すると、グリップシート５３１Ａに当接する。
大径ディスク１Ａをさらに背面１０Ｄ側に挿入すると、大径ディスク１Ａの周縁に当接したローラ５１３が押し込まれて、ローディングアーム５１が右壁１０Ｃ側に回動する。ローディングアーム５１の回動により、リンクプレート５５が連動して左壁１０Ｂ側に移動する。サブローディングアーム５３もローディングアーム５１と同様に左壁１０Ｂ側に回動する。
【０１１７】
また、初期状態では、第一伝達ギア４２１は、雄型ギア４２１Ａに設けられるギアピン４２１Ａ３が雌型ギア４２１Ｂのギアピン係合溝４２１Ｂ２内の第一ギアピン係止部４２１Ｂ３に当接し、雌型ギア４２１Ｂが時計回り方向に空周り可能となっている。したがって、大径ディスク１Ａの挿入により、ローラ５１３が搬入方向に空周りする。そして、大径ディスク１Ａが所定量挿入され、雌型ギア４２１Ｂが空周りして、ギアピン係合溝４２１Ｂ２内の第二ギアピン係止部４２１Ｂ４がギアピン４２１Ａ３に当接すると、ローラ５１３が搬入方向に空周り不可能となる。
【０１１８】
また、ローディングアーム５１が僅かに回動すると、リンクプレート５５も左壁１０Ｂ側に移動し、これに伴ってスイッチ片５５８も左壁１０Ｂ側に移動し、第二スイッチＳＷ２の可動片が押し込まれ、第二スイッチＳＷ２がオン状態となる。この第二スイッチＳＷ２がオン状態になることにより、制御回路部は、光ディスク１が挿排口１４から挿入されたことを認識する。
【０１１９】
この後、さらに大径ディスク１Ａを挿入すると、ローディングアーム５１がさらに右壁１０Ｃ側に回動し、リンクプレート５５も左壁１０Ｂ側に移動する。そして、図１３に示すように、大径ディスク１Ａのセンターホールの搬入方向における内周縁端部が挿排口１４上に略位置する状態で、リンクプレート５５のスイッチ片５５７が第一スイッチＳＷ１の可動片を押し込み、第一スイッチＳＷ１がオン状態になる。そして、制御回路部は、第一スイッチＳＷ１がオン状態になったことを認識すると、駆動モータ４１を駆動させる（モータ駆動開始状態）。
この駆動モータ４１の駆動により第一伝達ギア４２１の雄型ギア４２１Ａが時計回り方向に回転し、ギアピン４２１Ａ３がギアピン係合溝４２１Ｂ２内を移動して、再び第一ギアピン係止部４２１Ｂ３に当接する。これにより、駆動モータ４１の駆動力が雄型ギア４２１Ａから雌型ギア４２１Ｂに伝達可能となり、駆動伝達ギア群４２からローディングアーム５１のローラ５１３に伝達して、ローラ５１３が大径ディスク１Ａを搬入する方向、すなわち時計回り方向に回転駆動する。
この時、大径ディスク１Ａの周縁がサブローディングアーム５３のグリップシート５３１Ａに当接していると、ローラ５１３の駆動力により大径ディスク１Ａが回転されてグリップシート５３１Ａ上を略転動してディスク装置１００の内部に引き込まれる。
また、このモータ駆動開始状態では、ローディングアーム５１は、アームピン５１１Ｄがローディングアーム付勢部１２Ａのアーム当接部１２Ｂに当接する状態まで回動される。
【０１２０】
この後、ローラ５１３の案内により大径ディスク１Ａがさらにディスク装置１００内部に搬入されると、大径ディスク１Ａの搬入方向の先端縁がガイドアーム５６２のディスクガイド部５６２Ｃに当接する。具体的には、大径ディスク１Ａの搬入先端縁がフランジ部５６２Ｅに当接し、ディスク受部５６２Ｄに案内され、ディスク受部５６２Ｄにて保持される。
この状態では、ガイドアーム５６２のガイド連結軸５６２Ｂが右側位置状態のため、ガイドアーム５６２は、時計回り方向の付勢力を受ける。
【０１２１】
そして、さらに大径ディスク１Ａが背面１０Ｄ側に搬入されると、大径ディスク１Ａの周縁が第一および第二イジェクトアーム６１，６２に当接する。この状態からさらに大径ディスク１Ａがディスク装置１００内部に搬入されると、ローディングアーム５１の回動に連動してリンクプレート５５がさらに左壁１０Ｂ側に移動する。
また、第一イジェクトアーム６１のイジェクトピン６１１は、リンクプレート５５のイジェクト規制窓の大径対応溝５５３Ｅに移動する。
【０１２２】
この後、さらに大径ディスク１Ａをディスク装置１００の内部に搬入すると、ローディングアーム５１のローラ５１３とサブローディングアーム５３の摺動壁５３１とにより、大径ディスク１Ａの最大径部を挟み込む状態となる（最大径挟持状態）。この状態からさらに大径ディスク１Ａが背面１０Ｄ側に搬入されると、ローディングアーム５１は、ローディングアーム付勢部１２Ａの付勢力により、反時計回りに回動し、ローラ５１３と大径ディスク１Ａとの当接状態が維持され、大径ディスク１Ａがさらに背面１０Ｄ側に送られる。
また、この最大径挟持状態近傍において、図１４に示すように、ガイドアーム５６２のディスクガイド部５６２Ｃが大径ディスク１Ａの周縁部に押されて、左壁１０Ｂ側に回動すると、ガイドアーム５６２のガイド連結軸５６２Ｂが、線分上位置状態となる。すなわち、ガイドアーム５６２は、時計回り方向または反時計回り方向の付勢力を受けない状態となる。
【０１２３】
さらに、大径ディスク１Ａの搬入により、ローディングアーム５１が回動し、リンクプレート５５も左壁１０Ｂ側に移動する。したがって、リンクプレート５５のセレクト片５５４も左壁１０Ｂ側に移動する。また、セレクトアーム７１３のアーム位置規制ピン７１３Ｂがセレクト片５５４側に付勢されているため、このセレクト片５５４の移動に伴ってアーム位置規制ピン７１３Ｂの左壁１０Ｂ側に移動する。これにより、セレクトアーム７１３が反時計回り方向に回動し、第二押出壁部７１３Ｄが第一イジェクトアーム６１のカム押出ピン６１３の移動経路上に移動する。
そして、さらに大径ディスク１Ａが搬入されて、第一イジェクトアーム６１が回動すると、図１５に示すように、第一イジェクトアーム６１のカム押出ピン６１３がセレクトアーム７１３の第二押出壁部７１３Ｄに当接し、セレクトアーム７１３を正面１０Ａ側に押し出す。（カム押出開始状態）。
また、リンクプレート５５の移動により、カム制御ピン５５６がスライドプレート７１２のカム溝７１６内の大径ディスク用クランプ開始部７１６Ｃ１に移動する。
【０１２４】
また、最大径挟持状態からカム押出開始状態に至るまでに、ガイドアーム５６２は、ディスクガイド部５６２Ｃが大径ディスク１Ａの周縁部に押されて、左壁１０Ｂ側にさらに回動する。これにより、ガイドアーム５６２のガイド連結軸５６２Ｂが左側位置状態になるため、ガイドアーム５６２は、反時計回り方向に付勢力を受ける。
【０１２５】
そして、大径ディスク１Ａがさらに背面１０Ｄ側に搬入されると、第一シフトカム７１は第一イジェクトアーム６１のカム押出ピン６１３によりさらに正面１０Ａ側に移動される。そして、大径ディスク１Ａが完全にディスク装置１００の内部に搬入された状態、すなわち大径ディスク１Ａの搬入終端縁部が挿排口１４よりも背面１０Ｄ側に搬入された状態で、第一シフトカム７１のラック７１１Ａがカムシフトギア４２５のピニオンギア４２５Ｂに係合される（カム駆動伝達状態）。
【０１２６】
この後、さらに大径ディスク１Ａが背面１０Ｄ側に搬入され、大径ディスク１Ａのセンターホールがターンテーブル２３の上方に移動すると、図１６に示すように、搬入完了状態となる。この状態では、イジェクトピン６１１が大径規制係合部５５３Ｂに係合され、第一イジェクトアーム６１および第二イジェクトアーム６２の移動が規制される。また、この状態では、大径ディスク１Ａは、ローディングアーム５１のローラ５１３、サブローディングアーム５３の摺動壁５３１、第一イジェクトアーム６１の第一ディスク当接部６１２、および第二イジェクトアーム６２の第二ディスク当接部６２２に保持されている。
【０１２７】
また、第一シフトカム７１が駆動モータ４１の駆動力により正面１０Ａ側に移動すると、クランプ動作が開始される。
クランプ動作は、第一シフトカム７１の移動により、台座部２１のクランプ昇降ピン２１Ｃが、第一シフトカム７１のクランプ昇降溝７１４内を移動することで実施される。具体的には、第一シフトカム７１の移動開始時から搬入完了状態までは、クランプ昇降ピン２１Ｃは、退避部７１４Ａに配置されており、台座部２１は退避部７１４Ａの高さ位置に対応して筐体１０の底面側に位置している。
【０１２８】
この状態からさらに第一シフトカム７１が正面１０Ａ側に移動すると、クランプ昇降ピン２１Ｃが待機部７１４Ｂに移動する。これにより、台座部２１は、待機部７１４Ｂに対応する高さ位置で一旦昇降が停止され、大径ディスク１Ａのセンターホールにターンテーブル２３のディスク係合部２３Ａが挿通されて大径ディスク１Ａが位置決めされるとともに、大径ディスク１Ａの位置補正が実施される。
【０１２９】
また、クランプ昇降ピン２１Ｃが退避部７１４Ａから待機部７１４Ｂに移動するまでに、カム制御ピン５５６は、大径ディスク用クランプ昇降部７１６Ｃ２内を背面１０Ｄ側に移動する。
そして、クランプ昇降ピン２１Ｃが待機部７１４Ｂの背面１０Ｄ側に移動する間に、カム制御ピン５５６は、大径ディスク用ホールド部７１６Ｃ３内を背面１０Ｄ側に移動する。これにより、リンクプレート５５が左壁１０Ｂ側に移動する。そして、クランプ昇降ピン２１Ｃが待機部７１４Ｂおよびクランプ部７１４Ｃの連結位置まで移動すると、カム制御ピン５５６は、図１７に示すように、大径ディスク用ホールド部７１６Ｃ３および大径ディスク用チャッキング部７１６Ｃ４との連結位置まで移動する。この時、スライドリンクピン５５１が、第二ローディング係合溝５２２Ｄのスライド移動区間５２２Ｄ１のもっとも背面１０Ｄ側に移動し、さらに、空走区間５２２Ｄ２を左壁１０Ｂ側に移動する。これにより、ローディングスライドプレート５２２が正面１０Ａ側に移動し、ローディングアーム５１が最も右壁１０Ｃ側に回動した状態となる。よって、ローディングアーム５１のローラ５１３が大径ディスク１Ａの周縁から離隔する。さらに、プレートリンクピン５４１Ｆが同期係合溝５５２Ｂに沿って正面１０Ａ側に移動するため、サブローディングアーム５３も左壁１０Ｂ側に回動し、摺動壁５３１が大径ディスク１Ａの周縁から離隔する。さらには、第一イジェクトアーム６１のイジェクトピン６１１が大径離隔係合部５５３Ｄに移動し、第一および第二イジェクトアーム６１，６２が大径ディスク１Ａの周縁から離隔する。
この時、大径ディスク１Ａは、ターンテーブル２３に位置決めされているため、ディスク装置１００内で脱離することがない。
【０１３０】
さらに、第一シフトカム７１が正面１０Ａ側に移動すると、クランプ昇降ピン２１Ｃがクランプ部７１４Ｃに移動する。これにより、台座部２１が天面側に移動し、ターンテーブル２３と天面に設けられるクランプ部材との間に大径ディスク１Ａを挟みこみ、ディスク係合部２３Ａに大径ディスク１Ａのセンターホールを係合させ、クランプ動作が完了する。この後、クランプ昇降ピン２１Ｃが演奏可能部７１４Ｄに移動すると、図１８に示すように、台座部２１が情報処理部２４にて大径ディスク１Ａの情報を処理可能な高さ位置に移動する。
この時、カム制御ピン５５６は、大径ディスク用チャッキング部７１６Ｃ４に係合されているため、リンクプレート５５も最も左壁１０Ｂ側に移動した状態で維持され、各アーム５１，５３，６１，６２が大径ディスク１Ａから離隔した状態が維持される。
【０１３１】
この後、第一シフトカム７１がさらに正面１０Ａ側に移動すると、第三スイッチＳＷ３の可動片と第一シフトカム７１のスイッチ当接部７１１Ｄとが当接し、第三スイッチＳＷ３がオン状態となる。これにより、制御回路部は、大径ディスク１Ａのクランプが完了し、演奏可能状態となったことを認識し、駆動モータ４１を停止させる。
【０１３２】
そして、制御回路部は、ディスク処理部２０の情報処理部２４の駆動を制御し、大径ディスク１Ａの情報を処理、すなわち、大径ディスク１Ａへの情報を書込む書込処理や、大径ディスク１Ａに記録された情報を読み込む読込処理を実施する。
また、制御回路部は、ターンテーブル２３の回転トルクを検出することにより、挿入された光ディスク１が大径ディスク１Ａであることを認識する。
【０１３３】
（大径ディスクの搬出動作）
次に、大径ディスク１Ａの搬出動作について説明する。
ディスク装置１００の制御回路部は、例えば図示しないイジェクトボタンが押されるなどして、大径ディスク１Ａを搬出する旨の入力信号を認識すると、光ディスク１の情報処理動作を停止し、大径ディスク１Ａを筐体１０の外部に搬出させる動作を実施する。
【０１３４】
この搬出させる動作としては、制御回路部は、まずスピンドルモータに逆電流を流通させてターンテーブル２３の回転を停止させる。
その後、駆動部４０の駆動モータ４１を駆動させて第一シフトカム７１を背面１０D側へ移動させる。
また、この駆動モータ４１の駆動開始時において、第一伝達ギア４２１は、雄型ギア４２１Ａに設けられるギアピン４２１Ａ３が雌型ギア４２１Ｂのギアピン係合溝４２１Ｂ２内の第一ギアピン係止部４２１Ｂ３に当接している。この状態から駆動モータ４１を駆動させて雄型ギア４２１Ａを反時計回り方向に回転させると、ギアピン４２１Ａ３はギアピン係合溝４２１Ｂ２に沿って反時計回り方向に移動し、第二ギアピン係止部４２１Ｂ４に当接する。この状態で、雌型ギア４２１Ｂは雄型ギア４２１Ａから駆動力が伝達される状態となり、駆動モータ４１の駆動力により反時計回り方向に回転駆動する。
さらに、第一シフトカム７１の背面１０Ｄ側への移動により、カム制御ピン５５６が大径ディスク用カム溝７１６Ｃを正面１０Ａ側に移動する。そして、カム制御ピン５５６が大径ディスク用ホールド部７１６Ｃ３に沿って正面１０Ａ側に移動すると、リンクプレート５５も右壁１０Ｃ側に移動する。したがって、リンクプレート５５に連動してローディングアーム５１、サブローディングアーム５３、第一および第二イジェクトアーム６１，６２が回動し、大径ディスク１Ａがローラ５１３、摺動壁５３１、第一および第二ディスク当接部６１２，６２２により保持される。
【０１３５】
この状態で、さらに第一シフトカム７１が背面１０Ｄ側に移動すると、台座部２１が底面側に移動するため、図示しないイジェクトピンによりターンテーブル２３から大径ディスク１Ａが脱離する。
【０１３６】
この後、ローディングアーム５１のローラ５１３の駆動および第一および第二イジェクトアーム６１，６２の付勢力により、大径ディスク１Ａは正面１０Ａ側に搬出される。
そして、大径ディスク１Ａが図１３に示すように、モータ駆動開始状態と略同一位置まで搬出されると、リンクプレート５５のスイッチ片５５７が第一スイッチＳＷ１から離隔する。
この状態で、制御回路部は、駆動モータ４１を所定時間反転駆動させた後、駆動を停止させる。すなわち、駆動モータ４１の反転駆動により、雄型ギア４２１Ａが時計回り方向に回転し、ギアピン４２１Ａ３もギアピン係合溝４２１Ｂ２に沿って時計回り方向に移動する。そして、ギアピン４２１Ａ３が第一ギアピン係止部４２１Ｂ３に当接すると、第一伝達ギア４２１が初期状態となる。ここで、駆動モータ４１を反転駆動させる所定時間としては、少なくともギアピン４２１Ａ３がギアピン係合溝４２１Ｂ２内の第二ギアピン係止部４２１Ｂ４から第一ギアピン係止部４２１Ｂ３に移動可能な時間であればよい。
この状態において、大径ディスク１Ａは、センターホールの背面１０Ｄ側端縁が挿排口１４から排出された状態となる。
【０１３７】
また、ローディングアーム５１およびサブローディングアーム５３の回動に連動して、サブアームスライドプレート５４１も背面１０Ｄ側に移動する。これにより、リバースピン５４１Ｇの背面１０Ｄ側がガイドアーム５６２の戻り当接部５６２Ｇに当接し背面１０Ｄ側に移動することによって、ガイドアーム５６２が時計回り方向に回動する。そして、ガイド連結軸５６２Ｂが右側位置状態となると、ガイドアーム５６２は時計回り方向に付勢力を受ける。
【０１３８】
そして、例えば手動により大径ディスク１Ａが引き抜かれると、サブアームスライドプレート５４１が背面１０Ｄ側に付勢されているため、ローディングアーム５１も反時計回りに付勢されて回動する。そして、ローディングアーム５１は、ストッパ片５１１Ｃがカバー部材４３の段差部４３１に当接すると、回動が停止して、初期状態に戻る。また、ガイドアーム５６２も初期状態に戻る。
【０１３９】
（大径ディスク演奏状態におけるエマージェンシー動作）
次に、ディスク装置１００の内部に大径ディスク１Ａが挿入されて演奏可能状態となっている場合における、大径ディスク１Ａの緊急強制排出動作（エマージェンシー動作）について説明する。
【０１４０】
ディスク装置１００内のターンテーブル２３に大径ディスク１Ａが保持され、制御回路部の制御により高速回転している状態において、例えばディスク装置１００の駆動を緊急停止させて、大径ディスク１Ａを強制排出させる必要が生じる場合、例えば図１９に示すようなエマージェンシー操作具９００を用いて、ディスク装置１００にエマージェンシー動作を実施させる。
【０１４１】
ここで、エマージェンシー操作具９００は、図１９に示すように、ハンドル部９１０と、第一エマージェンシーピン９２０と、操作子としての第二エマージェンシーピン９３０と、を備えている。
ハンドル部９１０は、利用者が手で持つことが可能なグリップ部９１１を備えている。また、ハンドル部９１０の一端面には、上記した第一エマージェンシーピン９２０および第二エマージェンシーピン９３０が略平行に突出形成されている。
第一エマージェンシーピン９２０は、化粧板１０Ａ１の第一エマージェンシーピン挿通孔１０Ａ３に挿通して、第一シフトカム７１の正面１０Ａ側端部に当接可能に設けられている。また、この第一エマージェンシーピン９２０は、第一エマージェンシーピン挿通孔１０Ａ３から挿入した際に、先端部にて第一シフトカム７１を最も背面１０Ｄ側に位置する状態に押し出し可能な長さ寸法に形成されている。
第二エマージェンシーピン９３０は、化粧板１０Ａ１の第二エマージェンシーピン挿通孔１０Ａ４に挿通して、緊急回動片５２１Ｃに当接可能に設けられている。この第二エマージェンシーピン９３０の長さ寸法は、少なくともローディングアーム５１のローラ５１３およびサブローディングアーム５３の摺動壁５３１の間で小径ディスク１Ｂの最大径部が挿通可能な状態に、緊急回動片５２１Ｃを押し出してローディングアーム５１を回動させる寸法に形成されている。
なお、第一エマージェンシーピン９２０および第二エマージェンシーピン９３０の挿入位置の誤操作を防止するために、これら第一および第二エマージェンシーピン９２０，９３０が異なる径寸法に形成されているものであってもよい。また、第一および第二エマージェンシーピン挿通孔１０Ａ３，１０Ａ４の孔形状がそれぞれ異なっており、第一および第二エマージェンシーピン９２０，９３０の断面形状がそれぞれ第一および第二エマージェンシーピン挿通孔１０Ａ３，１０Ａ４の孔形状に対応して異形に形成されていてもよい。さらには、本実施の形態では、上記のようなエマージェンシー操作具９００を用いるが、それぞれ別体の第一および第二エマージェンシーピン９２０，９３０を用いてもよい。特に大径ディスク１Ａのエマージェンシー動作においては、第一エマージェンシーピン９２０のみを挿入するだけで、エマージェンシー動作を実施することができる。
【０１４２】
大径ディスク１Ａのエマージェンシー動作では、上記のようなエマージェンシー操作具９００を用いて、第一エマージェンシーピン９２０を第一エマージェンシーピン挿通孔１０Ａ３に挿通する。
これにより、第一エマージェンシーピン９２０の先端部が、エマージェンシーレバー８１のピン当接部８１３に当接して、図２０に示すように、ピン当接部８１３を底面側に押し下げる。これにより、エマージェンシーレバー８１が回動支持部８１１を中心として回動し、ギア移動部８１２が天面側に移動して第一伝達ギア４２１を天面側に押し上げる。これにより、第一伝達ギア４２１の第一大径伝達ギア４２１Ａ１がウォームギア４１１から離隔する。したがって、駆動伝達ギア群４２の各ギアが駆動モータ４１によりロックされていない状態となり、僅かな力で容易に回転可能な回転フリー状態となる。
【０１４３】
この状態からさらに第一エマージェンシーピン９２０を挿入すると、第一エマージェンシーピン９２０の先端部が第一シフトカム７１の正面１０Ａ側端部を押し込み、第一シフトカム７１が背面１０Ｄ側に移動する。
【０１４４】
この時、第一シフトカム７１の移動により、第三スイッチＳＷ３がオフ状態となる。制御回路部は、第三スイッチＳＷ３がオフ状態となったことを認識すると、スピンドルモータに逆電流を流してターンテーブル２３の回転を強制停止させる。
【０１４５】
この後、第一エマージェンシーピン９２０の挿入により、さらに第一シフトカム７１が背面１０Ｄ側に移動すると、クランプ昇降ピン２１Ｃがクランプ昇降溝７１４の演奏可能部７１４Ｄから退避部７１４Ａに移動し、図示しないイジェクトピンにより大径ディスク１Ａがターンテーブル２３から脱離する。また、ローディングアーム５１、サブローディングアーム５３、第一および第二イジェクトアーム６１，６２が回動して、大径ディスク１Ａの周縁が保持される。
【０１４６】
そして、第一シフトカム７１が最も背面１０Ｄ側に移動されると、付勢ばね７１５により第一イジェクトアーム６１が押し出されて回動し、大径ディスク１Ａが挿排口１４から排出される。
【０１４７】
また、第一エマージェンシーピン９２０を引き抜くと、ギア付勢ばね４２１Ｃにより、第一伝達ギア４２１が底面側に付勢されて、再び第一大径伝達ギア４２１Ａ１とウォームギア４１１が係合される。また、エマージェンシーレバー８１も回動して、初期状態に戻る。
【０１４８】
（小径ディスクの搬入動作）
次に、ディスク装置１００に小径ディスク１Ｂを挿入した場合の搬入動作を説明する。
【０１４９】
（挿排口の略中央から小径ディスクを挿入した場合における搬入動作）
小径ディスク１Ｂの搬入動作では、小径ディスク１Ｂの挿入位置により異なる搬送経路でディスク装置１００内に搬入される。
【０１５０】
図１に示すように、初期状態のディスク装置１００の挿排口１４の略中央部から小径ディスク１Ｂを挿入すると、小径ディスク１Ｂのセンターホールの搬入方向における内周縁端部が挿排口１４上に略位置する状態で、この小径ディスク１Ｂの周縁部がサブローディングアーム５３の底面側案内部５３２および天面側案内部５３３に案内されて、サブローディングアーム５３の摺動壁５３１の先端側に当接する。また、ローディングアーム５１のローラ５１３に当接する。
小径ディスク１Ｂをさらに背面１０Ｄ側に挿入すると、小径ディスク１Ｂの周縁がローディングアーム５１およびサブローディングアーム５３の双方に当接して押し込まれるため、当該両アームがそれぞれ右壁１０Ｃ側および左壁１０Ｂ側に回動する。
【０１５１】
また、大径ディスク１Ａの搬入動作と同様に、初期状態では、第一伝達ギア４２１は、雄型ギア４２１Ａに設けられるギアピン４２１Ａ３が雌型ギア４２１Ｂのギアピン係合溝４２１Ｂ２内の第一ギアピン係止部４２１Ｂ３に当接し、雌型ギア４２１Ｂが時計回り方向に空周り可能となっている。したがって、小径ディスク１Ｂの挿入により、ローラ５１３が搬入方向に空周りする。そして、小径ディスク１Ｂが所定量挿入され、雌型ギア４２１Ｂが空周りして、ギアピン係合溝４２１Ｂ２内の第二ギアピン係止部４２１Ｂ４がギアピン４２１Ａ３に当接すると、ローラ５１３が搬入方向に空周り不可能となる。
【０１５２】
また、ローディングアーム５１が僅かに回動すると、リンクプレート５５も左壁１０Ｂ側に移動し、これに伴ってスイッチ片５５８も左壁１０Ｂ側に移動し、第二スイッチＳＷ２の可動片が押し込まれ、第二スイッチＳＷ２がオン状態となる。この第二スイッチＳＷ２がオン状態になることにより、制御回路部は、光ディスク１が挿排口１４から挿入されたことを認識する。
【０１５３】
この後、さらに小径ディスク１Ｂを挿入すると、ローディングアーム５１がさらに右壁１０Ｃ側に回動し、リンクプレート５５も左壁１０Ｂ側に移動する。そして、図２１に示すように、リンクプレート５５のスイッチ片５５７が第一スイッチＳＷ１の可動片を押し込み、第一スイッチＳＷ１がオン状態になると、制御回路部は、駆動モータ４１を駆動させる（モータ駆動開始状態）。
この駆動モータ４１の駆動により第一伝達ギア４２１の雄型ギア４２１Ａが時計回り方向に回転し、ギアピン４２１Ａ３がギアピン係合溝４２１Ｂ２内を移動して、再び第一ギアピン係止部４２１Ｂ３に当接する。これにより、駆動モータ４１の駆動力が雄型ギア４２１Ａから雌型ギア４２１Ｂに伝達可能となり、駆動伝達ギア群４２からローディングアーム５１のローラ５１３に伝達して、ローラ５１３が小径ディスク１Ｂを搬入する方向、すなわち時計回り方向に回転駆動する。
また、このモータ駆動開始状態では、大径ディスク１Ａの搬入動作時と同様に、ローディングアーム５１は、アームピン５１１Ｄがローディングアーム付勢部１２Ａのアーム当接部１２Ｂに当接する状態まで回動される。
【０１５４】
この後、ローラ５１３の案内により小径ディスク１Ｂがさらにディスク装置１００内部に搬入されると、小径ディスク１Ｂの搬入方向先端縁がガイドアーム５６２のディスクガイド部５６２Ｃに当接する。具体的には、小径ディスク１Ｂの搬入先端縁がフランジ部５６２Ｅに当接し、ディスク受部５６２Ｄに案内され、ディスク受部５６２Ｄにて保持される。
この状態では、ガイドアーム５６２のガイド連結軸５６２Ｂが右側位置状態のため、ガイドアーム５６２は、時計回り方向の付勢力を受ける。
【０１５５】
そして、さらに小径ディスク１Ｂが背面１０Ｄ側に搬入されると、小径ディスク１Ｂの周縁が第一および第二イジェクトアーム６１，６２に当接する。この状態からさらに小径ディスク１Ｂがディスク装置１００内部に搬入されると、ローディングアーム５１の回動に連動してリンクプレート５５がさらに左壁１０Ｂ側に移動する。
このリンクプレート５５の移動によりセレクト片５５４も左壁１０Ｂ側に移動し、セレクトアーム７１３のアーム位置規制ピン７１３Ｂがセレクト片５５４に追従して左壁１０Ｂ側に移動する。この時、小径ディスク１Ｂの搬入時では、大径ディスク１Ａの搬入動作時に比べてローディングアーム５１の回動量も小さく、セレクトアーム７１３の回動量も小さくなる。このため、小径ディスク１Ｂの周縁部により押し出されて回動した第一イジェクトアーム６１のカム押出ピン６１３は、図２２に示すように、セレクトアーム７１３の第一押出壁部７１３Ｃに当接する（カム押出開始状態）。また、リンクプレート５５の移動により、カム制御ピン５５６がスライドプレート７１２のカム溝７１６内の小径ディスク用クランプ開始部７１６Ｂ１まで移動する。
【０１５６】
この後、さらに、第一イジェクトアーム６１の回動により、カム押出ピン６１３は、セレクトアーム７１３の第一押出壁部７１３Ｃを正面１０Ａ側に押し出す。
この時、駆動伝達ギア群４２のカムシフトギア４２５は、時計回り方向に回転駆動しているため、ロックアーム４２６も摩擦力により時計回り方向に付勢され、ロックピン４２６Ｄがロック係合溝７１１Ｂの長手係合部７１１Ｂ１に係合している状態、すなわちカムロック解除状態となっている。また、リンクプレート５５のカム制御ピン５５６が、小径ディスク用カム溝７１６Ｂに移動可能な位置に位置している。
このため、第一シフトカム７１は、カム押出ピン６１３により押し出されると、正面１０Ａ側に移動する。
【０１５７】
そして、小径ディスク１Ｂがさらに背面１０Ｄ側に搬入されると、第一シフトカム７１は第一イジェクトアーム６１のカム押出ピン６１３によりさらに正面１０Ａ側に移動される。そして、小径ディスク１Ｂが完全にディスク装置１００の内部に搬入された状態、すなわち小径ディスク１Ｂの搬入終端縁部が挿排口１４よりも背面１０Ｄ側に搬入された状態で、第一シフトカム７１のラック７１１Ａがカムシフトギア４２５のピニオンギア４２５Ｂに係合される（カム駆動伝達状態）。
【０１５８】
この後、さらに小径ディスク１Ｂが背面１０Ｄ側に搬入され、小径ディスク１Ｂのセンターホールがターンテーブル２３の上方に移動すると、図２３に示すように、搬入完了状態となる。この状態では、イジェクトピン６１１が小径規制係合部５５３Ａに係合され、第一イジェクトアーム６１および第二イジェクトアーム６２の移動が規制される。この状態では、小径ディスク１Ｂは、ローディングアーム５１のローラ５１３、サブローディングアーム５３の摺動壁５３１、第一イジェクトアーム６１の第一ディスク当接部６１２、および第二イジェクトアーム６２の第二ディスク当接部６２２に保持されている。
この状態では、ガイドアーム５６２は、ディスクガイド部５６２Ｃが小径ディスク１Ｂの周縁部に押されて、左壁１０Ｂ側に回動し、ガイドアーム５６２のガイド連結軸５６２Ｂが、線分上位置状態となる。すなわち、ガイドアーム５６２は、時計回り方向または反時計回り方向の付勢力を受けない状態となる。
【０１５９】
また、第一シフトカム７１が駆動モータ４１の駆動力により正面１０Ａ側に移動すると、クランプ動作が開始される。
クランプ動作は、第一シフトカム７１の移動により、台座部２１のクランプ昇降ピン２１Ｃが、第一シフトカム７１のクランプ昇降溝７１４内を移動することで実施される。具体的には、第一シフトカム７１の移動開始時から搬入完了状態までは、クランプ昇降ピン２１Ｃは、退避部７１４Ａに配置されており、台座部２１は退避部７１４Ａの高さ位置に対応して筐体１０の底面側に位置している。
【０１６０】
この状態からさらに第一シフトカム７１が正面１０Ａ側に移動すると、クランプ昇降ピン２１Ｃが待機部７１４Ｂに移動する。これにより、台座部２１は、待機部７１４Ｂに対応する高さ位置で一旦昇降が停止され、小径ディスク１Ｂのセンターホールにターンテーブル２３のディスク係合部２３Ａが挿通されて小径ディスク１Ｂが位置決めされるとともに、小径ディスク１Ｂの位置補正が実施される。
【０１６１】
また、クランプ昇降ピン２１Ｃが退避部７１４Ａから待機部７１４Ｂに移動するまでに、カム制御ピン５５６は、小径ディスク用クランプ昇降部７１６Ｂ２内を背面１０Ｄ側に移動する。
そして、クランプ昇降ピン２１Ｃが待機部７１４Ｂを背面１０Ｄ側に移動する間に、カム制御ピン５５６は、小径ディスク用ホールド部７１６Ｂ３内を背面１０Ｄ側に移動する。これにより、リンクプレート５５が左壁１０Ｂ側に移動する。そして、クランプ昇降ピン２１Ｃが待機部７１４Ｂおよびクランプ部７１４Ｃの連結位置まで移動すると、カム制御ピン５５６は、図２４に示すように、小径ディスク用ホールド部７１６Ｂ３および小径ディスク用チャッキング部７１６Ｂ４との連結位置まで移動する。この時、スライドリンクピン５５１が、第二ローディング係合溝５２２Ｄのスライド移動区間５２２Ｄ１の最も背面１０Ｄ側に移動する。これにより、ローディングスライドプレート５２２が正面１０Ａ側に移動し、大径ディスク１Ａの搬入時と同様に、ローディングアーム５１が最も右壁１０Ｃ側に回動した状態となる。よって、ローディングアーム５１のローラ５１３が小径ディスク１Ｂの周縁から離隔する。さらに、リンクプレート５５の左壁１０Ｂ側への移動により、プレートリンクピン５４１Ｆが同期係合溝５５２Ｂに沿って正面１０Ａ側に移動するため、サブローディングアーム５３も左壁１０Ｂ側に回動し、小径ディスク１Ｂの周縁から離隔する。さらには、第一イジェクトアーム６１のイジェクトピン６１１が小径離隔係合部５５３Ｃに移動し、第一および第二イジェクトアーム６１，６２が小径ディスク１Ｂの周縁から離隔する。
この時、小径ディスク１Ｂは、ターンテーブル２３に位置決めされているため、ディスク装置１００内で脱離することがない。
【０１６２】
さらに、第一シフトカム７１が正面１０Ａ側に移動すると、クランプ昇降ピン２１Ｃがクランプ部７１４Ｃに移動する。これにより、台座部２１が天面側に移動し、ターンテーブル２３と天面に設けられるクランプ部材との間に小径ディスク１Ｂを挟みこみ、ディスク係合部２３Ａに小径ディスク１Ｂのセンターホールを係合させ、クランプ動作が完了する。この後、クランプ昇降ピン２１Ｃが演奏可能部７１４Ｄに移動すると、図２５に示すように、台座部２１が情報処理部２４にて小径ディスク１Ｂの情報を処理可能な高さ位置に移動する。
この時、カム制御ピン５５６は、小径ディスク用チャッキング部７１６Ｂ４に係合される。これにより、各アーム５１，５３，６１，６２が小径ディスク１Ｂから離隔した状態に維持される。また、ローディングアーム５１が大径ディスク１Ａの搬入動作時と略同一位置まで回動されるため、ディスク処理部２０の揺動動作に影響を与えない。
【０１６３】
そして、第一シフトカム７１に連動して第二シフトカム７２も左壁１０Ｂ側に移動する。これにより、第二シフトカム７２のピン当接部７２１がガイドプレート５６１のガイド案内ピン５６１Ａを左壁１０Ｂ側に移動させる。これにより、ガイドアーム５６２のガイド連結軸５６２Ｂが左側位置状態になるため、ガイドアーム５６２は、反時計回り方向に付勢力を受ける。
【０１６４】
この後、第一シフトカム７１がさらに正面１０Ａ側に移動すると、第三スイッチＳＷ３の可動片と第一シフトカム７１のスイッチ当接部７１１Ｄとが当接してオン状態となる。これにより、制御回路部は、小径ディスク１Ｂのクランプが完了し、演奏可能状態となったことを認識し、駆動モータ４１を停止させる。
【０１６５】
そして、制御回路部は、ディスク処理部２０の情報処理部２４の駆動を制御し、小径ディスク１Ｂの情報を処理、すなわち、小径ディスク１Ｂへの情報を書込む書込処理や、小径ディスク１Ｂに記録された情報を読み込む読込処理を実施する。
また、制御回路部は、ターンテーブル２３の回転トルクを検出することにより、挿入された光ディスク１が小径ディスク１Ｂであることを認識する。
【０１６６】
（挿排口の左壁側から小径ディスクを挿入した場合における搬入動作）
小径ディスク１Ｂが左壁１０Ｂ側から挿入された場合、図２６に示すような搬送経路により、小径ディスク１Ｂがディスク装置１００内に搬入される。
すなわち、小径ディスク１Ｂの周縁部がサブローディングアーム５３の底面側案内部５３２および天面側案内部５３３に案内されて、サブローディングアーム５３の摺動壁５３１に当接する。
【０１６７】
そして、さらに小径ディスク１Ｂを左壁１０Ｂ側から背面１０Ｄ側に挿入すると、サブローディングアーム５３が左壁１０Ｂ側に回動する。
この時、サブローディングアーム５３と連動して、サブアームスライドプレート５４１が前面側に移動する。これにより、サブアームスライドプレート５４１のプレートリンクピン５４１Ｆがスライドリンク溝５５２の非同期係合溝５５２Ａ内を正面１０Ａ側に移動するが、リンクプレート５５が左右方向に移動しないためローディングアーム５１は同期せず、回動しない。そして、プレートリンクピン５４１Ｆがサブローディング規制部５５２Ａ４に当接すると、プレートリンクピン５４１Ｆの正面１０Ａ側への移動が規制されるため、サブローディングアーム５３の回動も規制される。この状態では、小径ディスク１Ｂは完全にディスク装置１００の内部に挿入されておらず、すなわち一部が挿排口１４の外部に突出して、操作者によりつまみ出せる状態となっている。
【０１６８】
この状態で、さらに小径ディスク１Ｂを挿入すると、サブローディングアーム５３の回動が規制されているため、小径ディスク１Ｂは、摺動壁５３１に沿ってディスク装置１００のセンターラインに向かって右壁１０Ｃ側に移動する。この時、小径ディスク１Ｂの周縁がサブローディングアーム５３の基端側に当接している状態では、小径ディスク１Ｂとグリップシート５３１Ａとが当接していないため、摩擦力が小さく、小径ディスク１Ｂの挿入が容易になる。
【０１６９】
そして、小径ディスク１Ｂの周縁がローラ５１３に当接され、さらに背面１０Ｄ側に押し込まれると、ローディングアーム５１も右壁１０Ｃ側に回動される。
この時、挿排口１４の略中央部から小径ディスク１Ｂを挿入した場合と同様に、ローラ５１３が搬入方向に空周りし、小径ディスク１Ｂの挿入感が向上する。
【０１７０】
この後、ローディングアーム５１の回動によりリンクプレート５５が左壁１０Ｂ側に移動すると、第一スイッチＳＷ１がオン状態となり、駆動モータ４１が駆動され、ローラ５１３が搬入方向に回転駆動される。これにより、小径ディスク１Ｂは、サブローディングアーム５３のグリップシート５３１Ａ上を転動して背面１０Ｄ側に搬入される。
そして、さらにリンクプレート５５が左壁１０Ｂ側に移動すると、プレートリンクピン５４１Ｆもローディング規制部５５２Ａ２とサブローディング規制部５５２Ａ４との交差部に移動し、同期係合溝５５２Ｂに係合される。これにより、リンクプレート５５の左壁１０Ｂ側への移動により、ローディングアーム５１とサブローディングアーム５３とが同期して回動可能となる。
この後、駆動モータ４１の駆動力により、小径ディスク１Ｂがさらに背面１０Ｄ側に移動されると、前記した挿排口１４から小径ディスク１Ｂを挿入した場合における動作を実施し、すなわち、第一シフトカム７１を正面１０Ａ側に押し出して、小径ディスク１Ｂをクランプする動作を実施する。
【０１７１】
（挿排口の右壁側から小径ディスクを挿入した場合における搬入動作）
小径ディスク１Ｂが右壁１０Ｃ側から挿入された場合、図２７に示すような搬送経路により、小径ディスク１Ｂがディスク装置１００内に搬入される。
すなわち、小径ディスク１Ｂの周縁部がローディングアーム５１のローラ５１３に当接する。
【０１７２】
そして、さらに小径ディスク１Ｂを右壁１０Ｃ側から背面１０Ｄ側に挿入すると、ローディングアーム５１が右壁１０Ｃ側に回動する。この時、挿排口１４の略中央部から小径ディスク１Ｂを挿入した場合と同様に、ローラ５１３が搬入方向に空周りし、小径ディスク１Ｂの挿入感が向上する。
また、この時、ローディングアーム５１と連動して、リンクプレート５５が左壁１０Ｂ側に移動する。これにより、サブアームスライドプレート５４１のプレートリンクピン５４１Ｆがスライドリンク溝５５２の非同期係合溝５５２Ａ内の右壁１０Ｃ側に移動するが、サブアームスライドプレート５４１が前後方向に移動しないためサブローディングアーム５３は同期せず、回動しない。そして、プレートリンクピン５４１Ｆがローディング規制部５５２Ａ２に当接すると、リンクプレート５５の左壁１０Ｂ側への移動が規制されるため、ローディングアーム５１の回動も規制される。この状態では、小径ディスク１Ｂは完全にディスク装置１００の内部に挿入されておらず、すなわち一部が挿排口１４の外部に突出して、操作者によりつまみ出せる状態となっている。
【０１７３】
さらに、リンクプレート５５の移動により、第一スイッチＳＷ１がオン状態となると、駆動モータ４１が駆動され、ローラ５１３が搬入方向に回転駆動される。
この状態で、さらに小径ディスク１Ｂを挿入すると、ローディングアーム５１の回動が規制されているため、小径ディスク１Ｂは、ディスク装置１００のセンターラインに向かって左壁１０Ｂ側に移動する。
そして、小径ディスク１Ｂの周縁がサブローディングアーム５３に当接され、さらに小径ディスク１Ｂが背面１０Ｄ側に押し込まれると、サブローディングアーム５３も左壁１０Ｂ側に回動される。
【０１７４】
この後、サブローディングアーム５３の回動によりプレートリンクピン５４１Ｆが正面１０Ａ側、つまりローディング規制部５５２Ａ２とサブローディング規制部５５２Ａ４との交差部に移動し、同期係合溝５５２Ｂに係合される。これにより、リンクプレート５５の左壁１０Ｂ側への移動により、ローディングアーム５１とサブローディングアーム５３とが同期して回動可能となる。
この後、駆動モータ４１の駆動力により、小径ディスク１Ｂがさらに背面１０Ｄ側に移動されると、前記した挿排口１４から小径ディスク１Ｂを挿入した場合における動作と同様の動作を実施し、すなわち、第一シフトカム７１を正面１０Ａ側に押し出して、小径ディスク１Ｂをクランプする動作を実施する。
【０１７５】
（小径ディスクの搬出動作）
次に、小径ディスク１Ｂの搬出動作について説明する。
ディスク装置１００の制御回路部は、例えば図示しないイジェクトボタンが押されるなどして、小径ディスク１Ｂを搬出する旨の入力信号を認識すると、光ディスク１の情報処理動作を停止し、小径ディスク１Ｂを筐体１０の外部に搬出させる動作を実施する。
【０１７６】
この搬出させる動作としては、制御回路部は、まずスピンドルモータに逆電流を流通させてターンテーブル２３の回転を停止させる。
その後、駆動部４０の駆動モータ４１を駆動させて第一シフトカム７１を背面１０Ｄ側に移動させる。
また、この駆動モータ４１の駆動開始時おいて、第一伝達ギア４２１は、雄型ギア４２１Ａに設けられるギアピン４２１Ａ３が雌型ギア４２１Ｂのギアピン係合溝４２１Ｂ２内の第一ギアピン係止部４２１Ｂ３に当接している。この状態から駆動モータ４１を駆動させて雄型ギア４２１Ａを反時計回り方向に回転させると、ギアピン４２１Ａ３はギアピン係合溝４２１Ｂ２に沿って反時計回り方向に移動し、第二ギアピン係止部４２１Ｂ４に当接する。この状態で、雌型ギア４２１Ｂは雄型ギア４２１Ａから駆動力が伝達される状態となり、駆動モータ４１の駆動力により反時計回り方向に回転駆動する。
さらに、第一シフトカム７１の背面１０Ｄ側への移動により、カム制御ピン５５６が小径ディスク用カム溝７１６Ｂを正面１０Ａ側に移動する。そして、カム制御ピン５５６が小径ディスク用ホールド部７１６Ｂ３に沿って正面１０Ａ側に移動すると、リンクプレート５５が右壁１０Ｃ側に移動する。したがって、リンクプレート５５に連動してローディングアーム５１、サブローディングアーム５３、第一および第二イジェクトアーム６１，６２が回動し、小径ディスク１Ｂがローラ５１３、摺動壁５３１、第一および第二ディスク当接部６１２，６２２により保持される。
【０１７７】
この状態で、さらに第一シフトカム７１が背面１０Ｄ側に移動すると、台座部２１が底面側に移動するため、図示しないイジェクトピンによりターンテーブル２３から小径ディスク１Ｂが脱離する。
【０１７８】
この後、ローディングアーム５１のローラ５１３の駆動および第一および第二イジェクトアーム６１，６２の付勢力により、小径ディスク１Ｂは正面１０Ａ側に搬出される。
そして、小径ディスク１Ｂが図２１に示すように、モータ駆動開始状態と略同一位置まで搬出されると、リンクプレート５５のスイッチ片５５７が第一スイッチＳＷ１から離隔する。この状態から、さらに小径ディスク１Ｂを排出すると、リンクプレート５５がさらに右壁１０Ｃ側に移動するため、スイッチ片５５８が第二スイッチＳＷ２から離隔し、オフ状態となる。
【０１７９】
そして、制御回路部は、この第二スイッチＳＷ２がオフ状態となったことを検出すると、小径ディスク１Ｂが排出されたことを認識するとともに、所定時間の間、駆動モータ４１を駆動させる、いわゆるディレイ駆動を実施する。このディレイ駆動により小径ディスク１Ｂはさらに正面１０Ａ側に排出される。この時、サブアームスライドプレート５４１が背面１０Ｄ側に付勢されているため、ローディングアーム５１は、ローラ５１３が小径ディスク１Ｂの周縁に当接した状態で小径ディスク１Ｂに追従して回動する。そして、ローディングアーム５１のストッパ片５１１Ｃがカバー部材４３の段差部４３１に当接すると、ローディングアーム５１の移動が規制される。この状態において、小径ディスク１Ｂは、センターホールの背面１０Ｄ側端縁が挿排口１４から排出された状態となる。
そして、制御回路部は、ディレイ駆動の実施から所定時間の後、駆動モータ４１を所定時間反転駆動させた後、駆動を停止させる。すなわち、駆動モータ４１の反転駆動により、雄型ギア４２１Ａが時計回り方向に回転し、ギアピン４２１Ａ３もギアピン係合溝４２１Ｂ２に沿って時計回り方向に移動する。そして、ギアピン４２１Ａ３が第一ギアピン係止部４２１Ｂ３に当接すると、第一伝達ギア４２１が初期状態となる。ここで、駆動モータ４１を反転駆動させる所定時間としては、少なくともギアピン４２１Ａ３がギアピン係合溝Ｂ２内の第二ギアピン係止部４２１Ｂ４から第一ギアピン係止部４２１Ｂ３に移動可能な時間であればよい。
【０１８０】
また、ローディングアーム５１およびサブローディングアーム５３の回動に連動して、サブアームスライドプレート５４１も背面１０Ｄ側に移動する。これにより、リバースピン５４１Ｇの背面１０Ｄ側がガイドアーム５６２の戻り当接部５６２Ｇに当接し背面１０Ｄ側に移動することによって、ガイドアーム５６２のガイド連結軸５６２Ｂが右側位置状態となる。これにより、ガイドアーム５６２は、時計回り方向に付勢力を受け、初期状態まで回動する。
【０１８１】
（小径ディスク演奏状態におけるエマージェンシー動作）
次に、ディスク装置１００の内部に小径ディスク１Ｂが挿入されて演奏可能状態となっている場合における、小径ディスク１Ｂの緊急強制排出動作（エマージェンシー動作）について説明する。
【０１８２】
ディスク装置１００内のターンテーブル２３に小径ディスク１Ｂが保持され、制御回路部の制御により高速回転している状態において、例えばディスク装置１００の駆動を緊急停止させて、小径ディスク１Ｂを強制排出させる必要が生じる場合、例えば大径ディスク１Ａのエマージェンシー動作において使用されるものと同様のエマージェンシー操作具９００を用いて、ディスク装置１００にエマージェンシー動作を実施させる。
【０１８３】
具体的には、小径ディスク１Ｂのエマージェンシー動作では、前記した大径ディスク１Ａのエマージェンシー動作にて用いたエマージェンシー操作具９００を使用し、第一エマージェンシーピン９２０を第一エマージェンシーピン挿通孔１０Ａ３に挿通する。
これにより、第一エマージェンシーピン９２０の先端部が、エマージェンシーレバー８１のピン当接部８１３に当接して、このピン当接部８１３を底面側に押し下げる。これにより、図２０に示すように、エマージェンシーレバー８１が回動支持部８１１を中心として回動し、ギア移動部８１２が天面側に移動して第一伝達ギア４２１を天面側に押し上げる。これにより、第一伝達ギア４２１の第一大径伝達ギア４２１Ａ１がウォームギア４１１から離隔する。したがって、駆動伝達ギア群４２の各ギアが駆動モータ４１によりロックされていない状態となり、僅かな力で容易に回転可能な回転フリー状態となる。
【０１８４】
この状態からさらに第一エマージェンシーピン９２０を挿入すると、第一エマージェンシーピン９２０の先端部が第一シフトカム７１の正面１０Ａ側端部を押し込み、第一シフトカム７１が背面１０Ｄ側に移動する。
【０１８５】
この時、第一シフトカム７１の移動により、第三スイッチＳＷ３がオフ状態となる。制御回路部は、第三スイッチＳＷ３がオフ状態となったことを認識すると、スピンドルモータに逆電流を流してターンテーブル２３の回転を強制停止させる。
【０１８６】
この後、第一エマージェンシーピン９２０の挿入により、さらに第一シフトカム７１が背面１０Ｄ側に移動すると、クランプ昇降ピン２１Ｃがクランプ昇降溝７１４の演奏可能部７１４Ｄから退避部７１４Ａに移動し、図示しないイジェクトピンにより小径ディスク１Ｂがターンテーブル２３から脱離する。また、ローディングアーム５１、サブローディングアーム５３、第一および第二イジェクトアーム６１，６２が回動して、小径ディスク１Ｂの周縁が保持される。
【０１８７】
そして、第一シフトカム７１が最も背面１０Ｄ側に移動されると、付勢ばね７１５により第一イジェクトアーム６１が押し出されて回動し、小径ディスク１Ｂが正面１０Ａ側に移動される。
【０１８８】
また、エマージェンシー操作具９００を挿通すると、第一エマージェンシーピン９２０が所定量挿入され、小径ディスク１Ｂが各アーム５１，５３，６１，６２にて保持されると同時に、第二エマージェンシーピン９３０が第二エマージェンシーピン挿通孔１０Ａ４からディスク装置１００の内部に挿入される。
これにより、第二エマージェンシーピン９３０の先端部が、緊急回動片５２１Ｃに当接し、ローディングリンクアーム５２１を反時計回り方向に回転させる。これにより、ローディングアーム５１が時計回り方向、すなわち左壁１０Ｂ側に回動する。
ここで、第二エマージェンシーピン９３０は、上述したように、少なくともローディングアーム５１のローラ５１３およびサブローディングアーム５３の摺動壁５３１の間で小径ディスク１Ｂの最大径部が挿通可能な状態に、緊急回動片５２１Ｃを押し出してローディングアーム５１を回動させる寸法に形成されている。したがって、第二エマージェンシーピン９３０を押し込むことにより、ローディングアーム５１のローラ５１３およびサブローディングアーム５３の摺動壁５３１との間を小径ディスク１Ｂが挿通可能となり、第一および第二イジェクトアーム６１，６２およびガイドアーム５６２の付勢力により小径ディスク１Ｂが挿排口１４から外部に排出される。
【０１８９】
そして、第一エマージェンシーピン９２０および第二エマージェンシーピン９３０を引き抜くと、ギア付勢ばね４２１Ｃにより、第一伝達ギア４２１が底面側に付勢されて、再び第一大径伝達ギア４２１Ａ１とウォームギア４１１が係合される。また、エマージェンシーレバー８１も回動して、初期状態に戻る。
【０１９０】
〔ディスク装置の作用効果〕
上述したように、上記実施の形態のディスク装置１００は、光ディスク１を保持可能なローディングアーム５１およびサブローディングアーム５３と、光ディスク１を搬出方向に付勢する第一イジェクトアーム６１およびガイドアーム５６２と、クランプ可能状態で光ディスク１に対して進退して、光ディスク１をターンテーブル２３にて保持させるもしくはターンテーブル２３から脱離させるディスク処理部２０と、ディスク処理部２０を移動させてターンテーブル２３から光ディスク１を脱離させる第一シフトカム７１と、第二エマージェンシーピン９３０の挿入によりローディングアーム５１を右壁１０Ｃ側に回動させるローディングリンクアーム５２１と、を備えている。
このため、エマージェンシー動作時に、第一シフトカム７１が背面１０Ｄ側に押し出されてターンテーブル２３から光ディスク１が脱離した後、第一イジェクトアーム６１またはガイドアーム５６２で脱離した光ディスク１を押し出して挿排口１４から排出させることができる。また、小径ディスク１Ｂを強制排出させるエマージェンシー動作時において、ローディングアーム５１およびサブローディングアーム５３により小径ディスク１Ｂの搬出が規制された場合でも、上記のように第二エマージェンシーピン９３０の挿入によりローディングアーム５１およびサブローディングアーム５３による小径ディスク１Ｂのガイドが解除されるため、これらローディングアーム５１およびサブローディングアーム５３による移動規制が解除されて第一イジェクトアーム６１およびガイドアーム５６２の付勢により小径ディスク１Ｂを挿排口１４から排出させることができる。よって、大径ディスク１Ａおよび小径ディスク１Ｂのどちらの光ディスク１でも、緊急時に容易に挿排口１４から排出させて取り出すことができる。
【０１９１】
また、第一イジェクトアーム６１およびガイドアーム５６２は、ばね力により搬出方向に付勢されている。このため、光ディスク１を搬出方向に付勢して排出させることができる。また、光ディスク１の搬入時においても、光ディスク１を強い力で押し込むなどの必要がなく搬入の弊害にならないため、ローラ５１３の回転力により容易にこれら第一イジェクトアーム６１およびガイドアーム５６２を押し込んで光ディスク１を挿入することができる。
【０１９２】
さらに、小径ディスク１Ｂは、ローディングアーム５１およびサブローディングアーム５３により挟持されてガイドされ、第二エマージェンシーピン９３０の挿入により、ローディングアーム５１は右壁１０Ｃ側に退避する方向に回動する。
このため、ローディングアーム５１の回動により容易に小径ディスク１Ｂのガイドを解除することができる。したがって、小径ディスク１Ｂのガイドを解除するための複雑な構成が不要であり、簡単な構成でエマージェンシー動作を実施することができる。
【０１９３】
さらには、第二エマージェンシーピン挿通孔１０Ａ４と対向する位置にローディングリンクアーム５２１の緊急回動片５２１Ｃが設けられているので、この第二エマージェンシーピン挿通孔１０Ａ４から長手状の第二エマージェンシーピン９３０を挿通させるだけで容易にローディングリンクアーム５２１を回動させることができ、ローディングアーム５１を回動させることができる。
【０１９４】
そして、ガイドアーム５６２は、ディスク受部５６２Ｄと、ディスク受部５６２Ｄの底面側に設けられるフランジ部５６２Ｅとを備えている。
このため、光ディスク１の搬入時において、光ディスク１の搬入先端縁は、フランジ部５６２Ｅに当接してディスク受部５６２Ｄに案内することができる。したがって、光ディスク１の先端縁が例えばディスク処理部２０に接触したりすることがなく、光ディスク１およびディスク装置１００の損傷を防止できる。
【０１９５】
また、第一エマージェンシーピン挿通孔１０Ａ３の延長上に、第一シフトカム７１が進退可能に設けられている。
このため、エマージェンシー動作時において、第一エマージェンシーピン９２０を挿入することで直接第一シフトカム７１を背面１０Ｄ側に押すことができ、確実に光ディスク１をターンテーブル２３から脱離させることができる。
さらに、エマージェンシー動作時に、エマージェンシーレバー８１を回動させることで、第一伝達ギア４２１とウォームギア４１１との係合を解除している。
このため、第一シフトカム７１が駆動モータ４１から駆動力が伝達されないフリー状態となり、弱い力でも容易に後方へ移動させることができる。したがって、エマージェンシー動作時における光ディスク１の脱離が容易に実施でき、エマージェンシー動作における操作性が向上する。
【０１９６】
〔実施形態の変形〕
なお、本発明は、上述した一実施の形態に限定されるものではなく、本発明の目的を達成できる範囲で以下に示される変形をも含むものである。
【０１９７】
すなわち、上記実施の形態では、ディスク装置１００は、ノート型パーソナルコンピュータなどに搭載可能な薄型ディスク装置を例示したが、これに限定されず、例えばデスクトップ型パーソナルコンピュータなどに搭載される比較的大型のディスク装置にも適用することができる。
【０１９８】
また、搬出アームとして、第一イジェクトアーム６１およびガイドアーム５６２を例示したが、例えばその他のアーム構成により光ディスク１を搬出方向に付勢する構成であってもよい。
【０１９９】
さらには、ローディングリンクアーム５２１の緊急回動片５２１Ｃを第二エマージェンシーピン９３０で押すことでローディングアーム５１を回動させる構成としたが、例えばローディングアーム５１の回動中心の左壁１０Ｂ側に回動片が設けられ、この回動片を第二エマージェンシーピン９３０で押し出してローディングアーム５１を回動させる構成などとしてもよい。
【０２００】
そして、エマージェンシー動作時において、第二エマージェンシーピン９３０によりローディングアーム５１を回動させる構成を示したが、例えばサブローディングアーム５３を左壁１０Ｂ側に回動させるなどの構成であってもよい。
【０２０１】
さらに、ローディングアーム５１およびサブローディングアーム５３の一対のアームで光ディスク１を挟持してガイドする構成を例示したが、例えばローディングアーム５１と筐体１０の左壁１０Ｂにて光ディスク１を挟持するなどの構成としてもよい。
【０２０２】
その他、本発明の実施の際の具体的な構造および手順は、本発明の目的を達成できる範囲で他の構造などに適宜変更できる。
【０２０３】
〔実施の形態の効果〕
上述したように、上記実施の形態のディスク装置１００は、光ディスク１を保持可能なローディングアーム５１およびサブローディングアーム５３と、光ディスク１を搬出方向に付勢する第一イジェクトアーム６１およびガイドアーム５６２と、クランプ可能状態で光ディスク１に対して進退して、光ディスク１をターンテーブル２３にて保持させるもしくはターンテーブル２３から脱離させるディスク処理部２０と、ディスク処理部２０を移動させてターンテーブル２３から光ディスク１を脱離させる第一シフトカム７１と、第二エマージェンシーピン９３０の挿入によりローディングアーム５１を右壁１０Ｃ側に回動させるローディングリンクアーム５２１と、を備えている。
このため、小径ディスク１Ｂを強制排出させるエマージェンシー動作時において、ローディングアーム５１およびサブローディングアーム５３により小径ディスク１Ｂの搬出が規制された場合でも、第二エマージェンシーピン９３０の挿入によりローディングアーム５１およびサブローディングアーム５３による小径ディスク１Ｂのガイドが解除されるため、これらローディングアーム５１およびサブローディングアーム５３による移動規制が解除されて第一イジェクトアーム６１およびガイドアーム５６２の付勢により小径ディスク１Ｂを挿排口１４から排出させることができる。
【図面の簡単な説明】
【０２０４】
【図１】本発明に係る一実施形態のディスク装置の初期状態における内部構成を示す平面図である。
【図２】前記実施形態におけるディスク装置の搬入部および搬出部の構成を示す平面図である。
【図３】前記実施形態におけるディスク装置の駆動部、搬出部およびクランプ部の構成を示す平面図である。
【図４】前記実施形態における化粧板の正面図である。
【図５】前記実施形態における駆動部の近傍を示す平面図である。
【図６】前記実施形態における駆動部を構成する第一伝達ギアの構成を示す斜視図である。
【図７】前記実施形態におけるサブローディングアームの断面図である。
【図８】前記実施形態におけるサブローディングアームの基端側から先端側を見た状態での側面図である。
【図９】前記実施形態におけるディスク装置のリンクプレートの一部を示す平面図である。
【図１０】前記実施形態におけるディスク装置のクランプ部を構成する第一シフトカムの背面側の平面図である。
【図１１】前記実施形態における前記第一シフトカムを左壁側からみた側面図である。
【図１２】前記実施形態におけるエマージェンシー機構のエマージェンシーレバー近傍の側面図である。
【図１３】大径ディスクのモータ駆動開始状態におけるディスク装置の内部を示す平面図である。
【図１４】大径ディスクの搬入途中におけるディスク装置の内部を示す平面図である。
【図１５】大径ディスクのカム押出開始状態におけるディスク装置の内部を示す平面図である。
【図１６】大径ディスクの搬入完了状態におけるディスク装置の内部を示す平面図である。
【図１７】大径ディスクの搬入完了状態における第一シフトカム、リンクプレート、およびローディングスライドプレートの係合状態の概略を示す平面図である。
【図１８】大径ディスクの演奏可能状態時におけるディスク装置の内部を示す平面図である。
【図１９】エマージェンシー操作具の概略を示す平面図である。
【図２０】エマージェンシー動作におけるエマージェンシーレバーの側面図である。
【図２１】小径ディスクのモータ駆動開始状態におけるディスク装置の内部を示す平面図である。
【図２２】小径ディスクのカム押出開始状態におけるディスク装置の内部を示す平面図である。
【図２３】小径ディスクの搬入完了状態におけるディスク装置の内部を示す平面図である。
【図２４】小径ディスクの搬入完了状態における第一シフトカム、リンクプレート、およびローディングスライドプレートの係合状態の概略を示す平面図である。
【図２５】小径ディスクの演奏可能状態時におけるディスク装置の内部を示す平面図である。
【図２６】小径ディスクを左壁側から挿入した場合における小径ディスクの搬送経路を模式的に示す図である。
【図２７】小径ディスクを右壁側から挿入した場合における小径ディスクの搬送経路を模式的に示す図である。
【符号の説明】
【０２０５】
１      …記録媒体としての光ディスク
１０    …ケース体を構成する筐体
１０Ａ１…ケース体を構成する化粧板
１０Ａ３…第一操作孔としての第一エマージェンシーピン挿通孔
１０Ａ４…第二操作孔としての第二エマージェンシーピン挿通孔
１４    …挿排口
２０    …保持手段としてのディスク処理部
２４    …情報処理部
３０    …ディスク搬送装置としての搬送手段
４１    …駆動手段としての駆動モータ
４２    …駆動伝達手段を構成する駆動伝達ギア群
５１    …ガイド部材を構成する搬送アームとしてのローディングアーム
５３    …ガイド部材を構成するアーム部材としてのサブローディングアーム
６１    …搬出アームとしての第一イジェクトアーム
７１    …第一アンチャック手段を構成するカム部材としての第一シフトカム
８０    …切替手段としてのエマージェンシー動作部
１００  …ディスク装置
５１１Ｂ…アームギアとしての第一歯車
５２１  …第二アンチャック手段としてのローディングリンクアーム
５２１Ａ…係合ギアとしての第二歯車
５２１Ｃ…回動片としての緊急回動片
５６２  …搬出アームとしてのガイドアーム
５６３  …付勢手段としてのガイドばね
９３０  …操作子としての第二エマージェンシーピン
【図１】
2008140516.tif 000003
【図２】
2008140516.tif 000004
【図３】
2008140516.tif 000005
【図４】
2008140516.tif 000006
【図５】
2008140516.tif 000007
【図６】
2008140516.tif 000008
【図７】
2008140516.tif 000009
【図８】
2008140516.tif 000010
【図９】
2008140516.tif 000011
【図１０】
2008140516.tif 000012
【図１１】
2008140516.tif 000013
【図１２】
2008140516.tif 000014
【図１３】
2008140516.tif 000015
【図１４】
2008140516.tif 000016
【図１５】
2008140516.tif 000017
【図１６】
2008140516.tif 000018
【図１７】
2008140516.tif 000019
【図１８】
2008140516.tif 000020
【図１９】
2008140516.tif 000021
【図２０】
2008140516.tif 000022
【図２１】
2008140516.tif 000023
【図２２】
2008140516.tif 000024
【図２３】
2008140516.tif 000025
【図２４】
2008140516.tif 000026
【図２５】
2008140516.tif 000027
【図２６】
2008140516.tif 000028
【図２７】
2008140516.tif 000029